(57)【要約】  本発明は、二重接続の通信システムにおいてＰＨＲを拡張するための解決法を提供する。本解決法は、ＳｅＮＢのＰＨＲ  ＭＡＣ  ＣＥフォーマットの設計、ＰＨＲ＿ＮＴの計算、および、ｅＮＢ＿Ｔで送信されるＭＡＣ  ＰＤＵにＰＨＲ＿ＴおよびＰＨＲ＿ＮＴを含める設計を含む。
2017515341.tif 000002
【特許請求の範囲】
【請求項１】
二重接続シナリオのユーザ機器におけるＳｅＮＢのＰＨＲ  ＭＡＣ  ＣＥの前記ＳｅＮＢへの提供の方法であって、
−  前記ＳｅＮＢの前記ＰＨＲ  ＭＡＣ  ＣＥを前記ＳｅＮＢに送信するステップ、
を含み、
前記ＰＨＲ  ＭＡＣ  ＣＥが、前記ＳｅＮＢのＳＰセルのＰＨ情報および前記ＳｅＮＢの１つまたは複数のアクティブＳセルのＰＨ情報を含み、
前記ＳＰセルの前記ＰＨ情報が、前記ＰＨＲ  ＭＡＣ  ＣＥのペイロードの開始位置に置かれ、前記Ｓセルの前記ＰＨ情報が、前記Ｓセルのインデックス・シーケンスに基づいて前記開始位置のすぐ後の後続の位置に置かれる、または、
前記ＳＰセルの前記ＰＨ情報が、前記ＰＨＲ  ＭＡＣ  ＣＥのペイロードの終了位置に置かれ、前記Ｓセルの前記ＰＨ情報が、前記Ｓセルのインデックス・シーケンスに基づいて前記終了位置のすぐ前の先行する位置に置かれる、
方法。
【請求項２】
前記ＰＨＲ  ＭＡＣ  ＣＥの前記ペイロードが、前記ＳＰセルのＰＵＳＣＨ  ＰＨ情報およびＰＵＣＣＨ  ＰＨ情報の両方を含むとき、前記ＳＰセルの前記ＰＵＣＣＨ  ＰＨ情報が、前記ＰＨＲ  ＭＡＣ  ＣＥの前記ペイロード内の以下の位置、すなわち、
−  前記ＳＰセルの前記ＰＵＳＣＨ  ＰＨ情報のすぐ前の位置、
−  前記ＳＰセルの前記ＰＵＳＣＨ  ＰＨ情報のすぐ後の位置、
のうちのいずれか１つの位置に直接置かれる、請求項１に記載の方法。
【請求項３】
二重接続シナリオのユーザ機器におけるｅＮＢ＿ＮＴのＰセル／ＳＰセルのＰＵＣＣＨ  ＰＨ値の計算の方法であって、
−  前記Ｐセル／ＳＰセルのＰＵＣＣＨ送信の基準フォーマットに基づいて前記Ｐセル／ＳＰセルの前記ＰＵＣＣＨ  ＰＨ値を計算するステップ、
を含む、方法。
【請求項４】
二重接続シナリオのユーザ機器におけるｅＮＢ＿ＮＴのＰセル／ＳＰセルのＰＵＣＣＨ  ＰＨ値の計算の方法であって、
−  現在のＴＴＩにおける前記Ｐセル／ＳＰセルの実際のＰＵＣＣＨ送信フォーマットに基づいて前記Ｐセル／ＳＰセルの前記ＰＵＣＣＨ  ＰＨ値を計算するステップ、
を含む、方法。
【請求項５】
二重接続シナリオのユーザ機器におけるｅＮＢ＿ＮＴのＰセル／ＳＰセルのＰＵＣＣＨ  ＰＨ値の計算の方法であって、
−  前記Ｐセル／ＳＰセルの前記ＰＵＣＣＨ  ＰＨ値が報告されるときに前記Ｐセル／ＳＰセルのＰＵＣＣＨ送信が存在するか否かを判定するステップと、
−  ＰＵＣＣＨ送信が存在しない場合、次いで、前記Ｐセル／ＳＰセルのＰＵＣＣＨ送信の基準フォーマットに基づいて前記Ｐセル／ＳＰセルのＰＵＣＣＨ  ＰＨ値を計算するステップと、
−  ＰＵＣＣＨ送信が存在する場合、次いで、前記Ｐセル／ＳＰセルの前記ＰＵＣＣＨ  ＰＨ値が報告されるときに前記Ｐセル／ＳＰセルの実際のＰＵＣＣＨ送信フォーマットに基づいて前記Ｐセル／ＳＰセルの前記ＰＵＣＣＨ  ＰＨ値を計算するステップと、
を含む、方法。
【請求項６】
二重接続シナリオのユーザ機器においてｅＮＢ＿ＮＴのＰセル／ＳＰセルおよび１つもしくは複数のアクティブＳセルのＰＵＳＣＨ  ＰＨ値を計算する方法であって、
−  前記Ｐセル／ＳＰセルおよび前記ＳセルのＰＵＳＣＨ送信の基準フォーマットに基づいて前記Ｐセル／ＳＰセルおよび前記Ｓセルの前記ＰＵＳＣＨ  ＰＨ値をそれぞれ計算するステップ、
を含む、方法。
【請求項７】
二重接続シナリオのユーザ機器においてｅＮＢ＿ＮＴのＰセル／ＳＰセルおよび１つもしくは複数のアクティブＳセルのＰＵＳＣＨ  ＰＨ値を計算する方法であって、
−  前記Ｐセル／ＳＰセルおよび前記Ｓセルの前記ＰＵＳＣＨ  ＰＨ値が報告されるときに前記Ｐセル／ＳＰセルおよび前記Ｓセルの現在の実際のＰＵＳＣＨ送信フォーマットに基づいて前記Ｐセル／ＳＰセルおよび前記Ｓセルの前記ＰＵＳＣＨ  ＰＨ値を計算するステップ、
を含む、方法。
【請求項８】
二重接続シナリオのユーザ機器においてＰＨＲ  ＭＡＣ  ＣＥをｅＮＢ＿Ｔに提供する方法であって、
−  ＭＡＣ  ＰＤＵを前記ｅＮＢ＿Ｔに送信するステップ、
を含み、
前記ＭＡＣ  ＰＤＵがＰＨＲ  ＭＡＣ  ＣＥを含み、
前記ＰＨＲ  ＭＡＣ  ＣＥのペイロードが前記ｅＮＢ＿Ｔのアクティブ・セルに対応するＰＨ情報およびｅＮＢ＿ＮＴのアクティブ・セルに対応するＰＨ情報を含み、
前記ＰＨＲ  ＭＡＣ  ＣＥの前記ペイロードが、
第１のビットマップ・バイト、
前記第１のビットマップ・バイトのすぐ後に続く第２のビットマップ・バイト、
前記第２のビットマップ・バイトのすぐ後に続く前記ｅＮＢ＿Ｔの前記アクティブ・セルの前記ＰＨ情報、および、
前記ｅＮＢ＿Ｔの前記アクティブ・セルの前記ＰＨ情報のすぐ後に続くｅＮＢ＿ＮＴのアクティブ・セルのＰＨ情報
を含み、
前記第１のビットマップ・バイトが、前記ｅＮＢ＿Ｔのどのアクティブ・セルが前記ＰＨＲ  ＭＡＣ  ＣＥの前記ペイロードに含まれるＰＨ情報を有するかを指示するために使用され、
前記第２のビットマップ・バイトが、前記ｅＮＢ＿ＮＴのどのアクティブ・セルが前記ＰＨＲ  ＭＡＣ  ＣＥの前記ペイロードに含まれるＰＨ情報を有するかを指示するために使用され、
前記第１のビットマップ・バイト内の「Ｒ」ビットが、前記ｅＮＢ＿ＴのＰセル／ＳＰセルのＰＵＣＣＨ  ＰＨ値が前記ｅＮＢ＿Ｔの前記アクティブ・セルの前記ＰＨ情報に含まれるかどうかを指示するために使用され、前記第２のビットマップ・バイト内の「Ｒ」ビットが、前記ｅＮＢ＿ＮＴのＰセル／ＳＰセルのＰＵＣＣＨ  ＰＨ値が前記ｅＮＢ＿ＮＴの前記アクティブ・セルの前記ＰＨ情報に含まれるかどうかを指示するために使用される、または、
ＭｅＮＢに対応するビットマップ・バイトの「Ｒ」ビットが、前記ＭｅＮＢのＰセルのＰＵＣＣＨ  ＰＨ値が前記ＭｅＮＢのアクティブ・セルのＰＨ情報に含まれるかどうかを指示するために使用される、
方法。
【請求項９】
二重接続シナリオのユーザ機器においてＰＨＲ  ＭＡＣ  ＣＥをｅＮＢ＿Ｔに提供する方法であって、
−  ＭＡＣ  ＰＤＵを前記ｅＮＢ＿Ｔに送信するステップ、
を含み、
前記ＭＡＣ  ＰＤＵがＰＨＲ  ＭＡＣ  ＣＥを含み、
前記ＰＨＲ  ＭＡＣ  ＣＥのペイロードが前記ｅＮＢ＿Ｔのアクティブ・セルに対応するＰＨ情報およびｅＮＢ＿ＮＴのアクティブ・セルに対応するＰＨ情報を含み、
前記ＰＨＲ  ＭＡＣ  ＣＥの前記ペイロードが、前記ｅＮＢ＿Ｔのどのアクティブ・セルが前記ＰＨＲ  ＭＡＣ  ＣＥの前記ペイロードに含まれるＰＨ情報を有するかおよび前記ｅＮＢ＿ＮＴのどのアクティブ・セルが前記ＰＨＲ  ＭＡＣ  ＣＥの前記ペイロードに含まれるＰＨ情報を有するかを指示するためのビットマップ・バイトを含み、
前記ＰＨＲ  ＭＡＣ  ＣＥの前記ペイロードがさらに、
前記ビットマップ・バイトのすぐ後に続くＭｅＮＢのＰセルのＰＨ情報と、
前記ＭｅＮＢの前記アクティブＳセルおよび前記ＳｅＮＢのすべてのアクティブ・セルのインデックス・シーケンスに基づいて配列された、前記ＭｅＮＢの前記Ｐセルの前記ＰＨ情報のすぐ後に続く、前記ＭｅＮＢの１つまたは複数のアクティブＳセルおよび前記ＳｅＮＢのすべてのアクティブ・セルのＰＨ情報と、
をさらに含み、
前記ビットマップ・バイト内の「Ｒ」ビットが、前記ＭｅＮＢの前記ＰセルのＰＵＣＣＨ  ＰＨ値が前記ＰＨＲ  ＭＡＣ  ＣＥの前記ペイロードに含まれるかどうかを指示するために使用される、
方法。
【請求項１０】
二重接続シナリオのＳｅＮＢにおいてＰＨＲ  ＭＡＣ  ＣＥを受信する方法であって、
−  ユーザ機器から前記ＳｅＮＢの前記ＰＨＲ  ＭＡＣ  ＣＥを受信するステップであり、
前記ＰＨＲ  ＭＡＣ  ＣＥが、前記ＳｅＮＢのＳＰセルのＰＨ情報および前記ＳｅＮＢの１つまたは複数のアクティブＳセルのＰＨ情報を含み、
前記ＳＰセルの前記ＰＨ情報が、前記ＰＨＲ  ＭＡＣ  ＣＥのペイロードの開始位置に置かれ、前記Ｓセルの前記ＰＨ情報が、前記Ｓセルのインデックス・シーケンスに基づいて前記開始位置のすぐ後の後続の位置に置かれる、または、
前記ＳＰセルの前記ＰＨ情報が、前記ＰＨＲ  ＭＡＣ  ＣＥのペイロードの終了位置に置かれ、前記Ｓセルの前記ＰＨ情報が、前記Ｓセルのインデックス・シーケンスに基づいて前記終了位置のすぐ前の先行する位置に置かれる、
受信するステップと、
−  ［ＮＬ−１−ｎ−Ｐｃｍａｘバイトの数］＝０か１かを判定するステップと、
−  ［ＮＬ−１−ｎ−Ｐｃｍａｘバイトの数］＝０の場合、前記ＰＨＲ  ＭＡＣ  ＣＥの前記ペイロードは前記ＳＰセルのＰＵＳＣＨ  ＰＨ情報のみを含むと判定するステップと、
−  ［ＮＬ−１−ｎ−Ｐｃｍａｘバイトの数］＝１の場合、前記ＰＨＲ  ＭＡＣ  ＣＥの前記ペイロードは前記ＳＰセルのＰＵＳＣＨ  ＰＨ情報およびＰＵＣＣＨ  ＰＨ情報の両方を含むと判定するステップと、
−  前記ＳＰセルのインデックスを無視し、前記ＰＨＲ  ＭＡＣ  ＣＥを切り離すステップと、
を含み、
ＮＬは、前記ＰＨＲ  ＭＡＣ  ＣＥのサブヘッダ内の「Ｌ」フィールドによって指示されるバイト数を表し、「１」は、ビットマップ・バイトの数を表し、
「ｎ」は、前記ＰＨＲ  ＭＡＣ  ＣＥの前記ペイロードに含まれるＰＨ情報を有する前記ＳｅＮＢのアクティブ・セルの数を表し、
「Ｐｃｍａｘバイトの数」は、各ＰＨ情報バイト内の「Ｐ」＝１の数を表す、
方法。
【請求項１１】
二重接続シナリオのｅＮＢ＿ＴにおいてｅＮＢ＿ＮＴのＰセル／ＳＰセルのＰＵＣＣＨ  ＰＨ値を処理する方法であって、
−  前記ｅＮＢ＿ＮＴとＸ２インターフェースを介してＰＵＣＣＨ送信の互いの構成された基準フォーマットを交換するステップと、
−  その中に前記ｅＮＢ＿ＮＴの前記Ｐセル／ＳＰセルの前記ＰＵＣＣＨ  ＰＨ値が含まれるＰＨＲ  ＭＡＣ  ＣＥをユーザ機器から受信するステップと、
−  前記ｅＮＢ＿ＮＴのＰＵＣＣＨ送信の前記構成された基準フォーマットに従って、前記ＰＨＲ  ＭＡＣ  ＣＥにおいて前記Ｐセル／ＳＰセルの前記ＰＵＣＣＨ  ＰＨ値を切り離すステップと、
を含む、方法。
【請求項１２】
二重接続シナリオのｅＮＢ＿ＴにおいてｅＮＢ＿ＮＴのＰセル／ＳＰセルのＰＵＣＣＨ  ＰＨ値を処理する方法であって、
−  Ｘ２インターフェースを介して互いの現在の構成されたＰＵＣＣＨ送信フォーマットを前記ｅＮＢ＿ＮＴと交換するステップと、
−  その中に前記ｅＮＢ＿ＮＴの前記Ｐセル／ＳＰセルの前記ＰＵＣＣＨ  ＰＨ値が含まれるＰＨＲ  ＭＡＣ  ＣＥをユーザ機器から受信するステップと、
−  前記ｅＮＢ＿ＮＴの前記現在の構成されたＰＵＣＣＨ送信フォーマットに従って、前記ＰＨＲ  ＭＡＣ  ＣＥにおいて前記Ｐセル／ＳＰセルの前記ＰＵＣＣＨ  ＰＨ値を切り離すステップと、
を含む、方法。
【請求項１３】
二重接続シナリオのｅＮＢ＿ＴにおいてｅＮＢ＿ＮＴのＰセル／ＳＰセルのＰＵＣＣＨ  ＰＨ値を処理する方法であって、
−  ＰＵＣＣＨ送信の互いの構成された基準フォーマットおよび互いの現在の構成されたＰＵＣＣＨ送信フォーマットを、Ｘ２インターフェースを介して前記ｅＮＢ＿ＮＴと交換するステップと、
−  その中に前記ｅＮＢ＿ＮＴの前記Ｐセル／ＳＰセルの前記ＰＵＣＣＨ  ＰＨ値が含まれるＰＨＲ  ＭＡＣ  ＣＥおよびそれによって前記Ｐセル／ＳＰセルの前記ＰＵＣＣＨ  ＰＨ値が前記ユーザ機器側で計算される計算方法に関する情報をユーザ機器から受信するステップと、
−  それによって前記Ｐセル／ＳＰセルの前記ＰＵＣＣＨ  ＰＨ値が前記ユーザ機器側で計算される前記計算方法に基づいて、前記ｅＮＢ＿ＮＴのＰＵＣＣＨ送信の前記構成された基準フォーマットおよび前記計算方法に対応する前記ｅＮＢ＿ＮＴの前記現在の構成されたＰＵＣＣＨ送信フォーマットのうちの１つに従って、前記ＰＨＲ  ＭＡＣ  ＣＥにおいて前記Ｐセル／ＳＰセルの前記ＰＵＣＣＨ  ＰＨ値を切り離すステップと、
を含む、方法。
【請求項１４】
二重接続シナリオのｅＮＢ＿ＴにおいてｅＮＢ＿ＮＴのＰセル／ＳＰセルおよび１つもしくは複数のアクティブＳセルのＰＵＳＣＨ  ＰＨ値を処理する方法であって、
−  前記ｅＮＢ＿ＮＴとＸ２インターフェースを介してＰＵＳＣＨ送信の互いの構成された基準フォーマットを交換するステップと、
−  前記ｅＮＢ＿ＮＴの前記Ｐセル／ＳＰセルおよび前記Ｓセルの前記ＰＵＳＣＨ  ＰＨ値がその中に含まれるＰＨＲ  ＭＡＣ  ＣＥをユーザ機器から受信するステップと、
−  前記ｅＮＢ＿ＮＴのＰＵＳＣＨ送信の前記構成された基準フォーマットに従って、前記ＰＨＲ  ＭＡＣ  ＣＥにおいて前記Ｐセル／ＳＰセルおよび前記Ｓセルの前記ＰＵＳＣＨ  ＰＨ値を切り離すステップと、
を含む、方法。
【請求項１５】
二重接続シナリオのｅＮＢ＿ＴにおいてｅＮＢ＿ＮＴのＰセル／ＳＰセルおよび１つもしくは複数のアクティブＳセルのＰＵＳＣＨ  ＰＨ値を処理する方法であって、
−  その中に前記ｅＮＢ＿ＮＴの前記Ｐセル／ＳＰセルおよび前記Ｓセルの前記ＰＵＳＣＨ  ＰＨ値が含まれるＰＨＲ  ＭＡＣ  ＣＥをユーザ機器から受信するステップであり、ＭＡＣ  ＰＤＵが、前記ｅＮＢ＿ＮＴの現在の実際の送信フォーマットを指示するための情報をさらに含む前記ＰＨＲ  ＭＡＣ  ＣＥを運ぶ、受信するステップと、
−  前記ｅＮＢ＿ＮＴの前記現在の実際の送信フォーマットに従って、前記ＰＨＲ  ＭＡＣ  ＣＥにおいて前記Ｐセル／ＳＰセルおよび前記Ｓセルの前記ＰＵＳＣＨ  ＰＨ値を切り離すステップと、
を含む、
方法。
【請求項１６】
二重接続シナリオのｅＮＢ＿ＴにおいてＰＨＲ  ＭＡＣ  ＣＥを処理する方法であって、
−  前記ｅＮＢ＿ＴからＭＡＣ  ＰＤＵを受信するステップであり、
前記ＭＡＣ  ＰＤＵがＰＨＲ  ＭＡＣ  ＣＥを含み、
前記ＰＨＲ  ＭＡＣ  ＣＥのペイロードが前記ｅＮＢ＿Ｔのアクティブ・セルに対応するＰＨ情報およびｅＮＢ＿ＮＴのアクティブ・セルに対応するＰＨ情報を含み、
前記ＰＨＲ  ＭＡＣ  ＣＥの前記ペイロードが、
第１のビットマップ・バイト、
前記第１のビットマップ・バイトのすぐ後に続く第２のビットマップ・バイト、
前記第２のビットマップ・バイトのすぐ後に続く前記ｅＮＢ＿Ｔの前記アクティブ・セルの前記ＰＨ情報、および、
前記ｅＮＢ＿Ｔの前記アクティブ・セルの前記ＰＨ情報のすぐ後に続く前記ｅＮＢ＿ＮＴの前記アクティブ・セルの前記ＰＨ情報
を含み、
前記第１のビットマップ・バイトが、前記ｅＮＢ＿Ｔのどのアクティブ・セルが前記ＰＨＲ  ＭＡＣ  ＣＥの前記ペイロードに含まれるＰＨ情報を有するかを指示するために使用され、
前記第２のビットマップ・バイトが、前記ｅＮＢ＿ＮＴのどのアクティブ・セルが前記ＰＨＲ  ＭＡＣ  ＣＥの前記ペイロードに含まれるＰＨ情報を有するかを指示するために使用され、
前記第１のビットマップ・バイト内の「Ｒ」ビットが、前記ｅＮＢ＿ＴのＰセル／ＳＰセルのＰＵＣＣＨ  ＰＨ値が前記ｅＮＢ＿Ｔの前記アクティブ・セルの前記ＰＨ情報に含まれるかどうかを指示するために使用され、
前記第２のビットマップ・バイト内の「Ｒ」ビットが、前記ｅＮＢ＿ＮＴのＰセル／ＳＰセルのＰＵＣＣＨ  ＰＨ値が前記ｅＮＢ＿ＮＴの前記アクティブ・セルの前記ＰＨ情報に含まれるかどうかを指示するために使用される、
受信するステップと、
−  前記ｅＮＢ＿Ｔの前記アクティブ・セルの前記ＰＨ情報の終了位置を判定するステップと、
−  前記第１のビットマップ・バイト内の前記「Ｒ」ビットおよび前記第２のビットマップ・バイト内の前記「Ｒ」ビットに基づいて、前記ＰＨＲ  ＭＡＣ  ＣＥの前記ペイロード内の前記ｅＮＢ＿Ｔの前記アクティブ・セルに対応する前記ＰＨ情報および前記ＰＨＲ  ＭＡＣ  ＣＥの前記ペイロード内の前記ｅＮＢ＿ＮＴの前記アクティブ・セルに対応する前記ＰＨ情報を切り離すステップと、
を含む、方法。
【請求項１７】
二重接続シナリオのｅＮＢ＿ＴにおいてＰＨＲ  ＭＡＣ  ＣＥを処理する方法であって、
−  前記ｅＮＢ＿ＴからＭＡＣ  ＰＤＵを受信するステップであり、
前記ＭＡＣ  ＰＤＵがＰＨＲ  ＭＡＣ  ＣＥを含み、
前記ＰＨＲ  ＭＡＣ  ＣＥのペイロードが前記ｅＮＢ＿Ｔのアクティブ・セルに対応するＰＨ情報およびｅＮＢ＿ＮＴのアクティブ・セルに対応するＰＨ情報を含み、
前記ＰＨＲ  ＭＡＣ  ＣＥの前記ペイロードが、
第１のビットマップ・バイト、
前記第１のビットマップ・バイトのすぐ後に続く第２のビットマップ・バイト、
前記第２のビットマップ・バイトのすぐ後に続く前記ｅＮＢ＿Ｔの前記アクティブ・セルの前記ＰＨ情報、および、
前記ｅＮＢ＿Ｔの前記アクティブ・セルの前記ＰＨ情報のすぐ後に続く前記ｅＮＢ＿ＮＴの前記アクティブ・セルの前記ＰＨ情報
を含み、
前記第１のビットマップ・バイトが、前記ｅＮＢ＿Ｔのどのアクティブ・セルが前記ＰＨＲ  ＭＡＣ  ＣＥの前記ペイロードに含まれるＰＨ情報を有するかを指示するために使用され、
前記第２のビットマップ・バイトが、前記ｅＮＢ＿ＮＴのどのアクティブ・セルが前記ＰＨＲ  ＭＡＣ  ＣＥの前記ペイロードに含まれるＰＨ情報を有するかを指示するために使用され、
ＭｅＮＢに対応するビットマップ・バイトの「Ｒ」ビットが、前記ＭｅＮＢのＰセルのＰＵＣＣＨ  ＰＨ値が前記ＭｅＮＢのアクティブ・セルのＰＨ情報に含まれるかどうかを指示するために使用される、
受信するステップと、
−  前記ＭｅＮＢに対応する前記ビットマップ・バイトの前記「Ｒ」ビットに基づいて、ＳｅＮＢのＳＰセルのＰＵＣＣＨ  ＰＨ値が前記ＳｅＮＢのアクティブ・セルのＰＨ情報に含まれるかどうかを判定するステップと、
−  前記ｅＮＢ＿Ｔの前記アクティブ・セルの前記ＰＨ情報の終了位置を判定するステップと、
−  前記ＭｅＮＢの前記Ｐセルの前記ＰＵＣＣＨ  ＰＨ値が前記ＭｅＮＢの前記アクティブ・セルのＰＨ情報に含まれるかどうかおよび前記ＳｅＮＢの前記ＳＰセルの前記ＰＵＣＣＨ  ＰＨ値が前記ＳｅＮＢの前記アクティブ・セルの前記ＰＨ情報に含まれるかどうかに基づいて、前記ＰＨＲ  ＭＡＣ  ＣＥの前記ペイロード内の前記ｅＮＢ＿Ｔの前記アクティブ・セルに対応する前記ＰＨ情報および前記ＰＨＲ  ＭＡＣ  ＣＥの前記ペイロード内の前記ｅＮＢ＿ＮＴの前記アクティブ・セルに対応する前記ＰＨ情報を切り離すステップと、
を含む、方法。
【請求項１８】
前記ＭｅＮＢに対応する前記ビットマップ・バイトの「Ｒ」＝１が、前記ＭｅＮＢの前記ＰセルのＰＵＣＣＨ  ＰＨ値が前記ＰＨＲ  ＭＡＣ  ＣＥの前記ペイロードに含まれることを指示するために使用され、
「Ｒ」＝０が、前記ＭｅＮＢの前記Ｐセルの前記ＰＵＣＣＨ  ＰＨ値が前記ＰＨＲ  ＭＡＣ  ＣＥの前記ペイロードに含まれないことを指示するために使用され、
前記ＳｅＮＢの前記ＳＰセルの前記ＰＵＣＣＨ  ＰＨ値が前記ＳｅＮＢの前記アクティブ・セルの前記ＰＨ情報に含まれるか否かが、
「Ｒ」＝１のとき、
−  ［ＮＬ−２−２−第１のビットマップ・タイプおよび第２のビットマップ・タイプ内のアクティブ・ビットの数−Ｐｃｍａｘバイトの数］＝１である場合、そのとき、前記ＳｅＮＢの前記ＳＰセルの前記ＰＵＣＣＨ  ＰＨ値は、前記ＳｅＮＢの前記アクティブ・セルの前記ＰＨ情報に含まれ、
−  ［ＮＬ−２−２−第１のビットマップ・タイプおよび第２のビットマップ・タイプ内のアクティブ・ビットの数−Ｐｃｍａｘバイトの数］＝０である場合、そのとき、前記ＳｅＮＢのＳＰセルの前記ＰＵＣＣＨ  ＰＨ値は、前記ＳｅＮＢの前記アクティブ・セルの前記ＰＨ情報に含まれず、
ＮＬは、前記ＰＨＲ  ＭＡＣ  ＣＥのサブヘッダ内の「Ｌ」フィールドによって指示されるバイト数を表し、前記方程式中の第１の「２」は前記ＭｅＮＢの前記ＰセルのＰＵＣＣＨ  ＰＨバイトおよびＰＵＳＣＨ  ＰＨバイトを表し、前記方程式中の第２の「２」は、ビットマップ・バイトの数を表し、そして、前記「アクティブ・ビットの数」は、前記ＭｅＮＢおよび前記ＳｅＮＢのすべてのアクティブＳセルの数を表し、
「Ｒ」＝０のとき、
−  ［ＮＬ−１−２−第１のビットマップ・タイプおよび第２のビットマップ・タイプ内のアクティブ・ビットの数−Ｐｃｍａｘバイトの数］＝１である場合、前記ＳｅＮＢの前記ＳＰセルの前記ＰＵＣＣＨ  ＰＨ値は、前記ＳｅＮＢの前記アクティブ・セルの前記ＰＨ情報に含まれ、
−  ［ＮＬ−１−２−第１のビットマップ・タイプおよび第２のビットマップ・タイプ内のアクティブ・ビットの数−Ｐｃｍａｘバイトの数］＝０である場合、前記ＳｅＮＢの前記ＳＰセルの前記ＰＵＣＣＨ  ＰＨ値は、前記ＳｅＮＢの前記アクティブ・セルの前記ＰＨ情報に含まれず、
ＮＬは、前記ＰＨＲ  ＭＡＣ  ＣＥのサブヘッダ内の「Ｌ」フィールドによって指示されるバイト数を表し、前記方程式中の第１の「１」は、前記ＭｅＮＢの前記ＰセルのＰＵＳＣＨ  ＰＨバイトを表し、前記方程式中の第２の「２」は、ビットマップ・バイトの数を表し、そして、前記「アクティブ・ビットの数」は、前記ＭｅＮＢおよび前記ＳｅＮＢのすべてのアクティブＳセルの数を表す、
という方法で判定される、請求項１７に記載の方法。
【請求項１９】
二重接続シナリオのｅＮＢ＿ＴにおいてＰＨＲ  ＭＡＣ  ＣＥを処理する方法であって、
−  前記ｅＮＢ＿ＴからＭＡＣ  ＰＤＵを受信するステップであり、
前記ＭＡＣ  ＰＤＵがＰＨＲ  ＭＡＣ  ＣＥを含み、
前記ＰＨＲ  ＭＡＣ  ＣＥのペイロードが前記ｅＮＢ＿Ｔのアクティブ・セルに対応するＰＨ情報および前記ｅＮＢ＿ＮＴのアクティブ・セルに対応するＰＨ情報を含み、
前記ＰＨＲ  ＭＡＣ  ＣＥの前記ペイロードが、前記ｅＮＢ＿Ｔのどのアクティブ・セルが前記ＰＨＲ  ＭＡＣ  ＣＥの前記ペイロードに含まれるＰＨ情報を有するかおよび前記ｅＮＢ＿ＮＴのどのアクティブ・セルが前記ＰＨＲ  ＭＡＣ  ＣＥの前記ペイロードに含まれるＰＨ情報を有するかを指示するためのビットマップ・バイトを含み、
前記ＰＨＲ  ＭＡＣ  ＣＥの前記ペイロードが、
前記ビットマップ・バイトのすぐ後に続くＭｅＮＢのＰセルのＰＨ情報と、
前記ＭｅＮＢのアクティブＳセルおよび前記ＳｅＮＢの前記すべてのアクティブ・セルのインデックス・シーケンスに基づいて配列された、前記ＭｅＮＢの前記Ｐセルの前記ＰＨ情報のすぐ後に続く、前記ＭｅＮＢの１つまたは複数のアクティブＳセルおよび前記ＳｅＮＢのすべてのアクティブ・セルのＰＨ情報と、
をさらに含み、
前記ビットマップ・バイト内の「Ｒ」ビットが、前記ＭｅＮＢの前記ＰセルのＰＵＣＣＨ  ＰＨ値が前記ＰＨＲ  ＭＡＣ  ＣＥの前記ペイロードに含まれるかどうかを指示するために使用される、
受信するステップと、
−  前記ビットマップ・バイト内の前記「Ｒ」ビットに基づいて、前記ＳｅＮＢのＳＰセルのＰＵＣＣＨ  ＰＨ値が前記ＳｅＮＢの前記アクティブ・セルの前記ＰＨ情報に含まれるか否かを判定するステップと、
を含む、方法。
【請求項２０】
前記ビットマップ・バイトの「Ｒ」＝１が、前記ＭｅＮＢの前記Ｐセルの前記ＰＵＣＣＨ  ＰＨ値が前記ＰＨＲ  ＭＡＣ  ＣＥの前記ペイロードに含まれることを指示するために使用され、
「Ｒ」＝０が、前記ＭｅＮＢの前記Ｐセルの前記ＰＵＣＣＨ  ＰＨ値が前記ＰＨＲ  ＭＡＣ  ＣＥの前記ペイロードに含まれないことを指示するために使用され、
前記ＳｅＮＢの前記ＳＰセルの前記ＰＵＣＣＨ  ＰＨ値が前記ＰＨＲ  ＭＡＣ  ＣＥの前記ペイロードに含まれるか否かが、
「Ｒ」＝１のとき、
−  ［ＮＬ−２−１−アクティブ・ビットの数−Ｐｃｍａｘバイトの数］＝１である場合、そのとき、前記ＳｅＮＢの前記ＳＰセルの前記ＰＵＣＣＨ  ＰＨ値は、前記ＰＨＲ  ＭＡＣ  ＣＥの前記ペイロードに含まれ、
−  ［ＮＬ−２−１−アクティブ・ビットの数−Ｐｃｍａｘバイトの数］＝０である場合、そのとき、前記ＳｅＮＢの前記ＳＰセルの前記ＰＵＣＣＨ  ＰＨ値は、前記ＰＨＲ  ＭＡＣ  ＣＥの前記ペイロードに含まれず、
ＮＬは、前記ＰＨＲ  ＭＡＣ  ＣＥのサブヘッダ内の「Ｌ」フィールドによって指示されるバイト数を表し、前記方程式中の第１の「２」は前記ＭｅＮＢの前記ＰセルのＰＵＣＣＨ  ＰＨバイトおよびＰＵＳＣＨ  ＰＨバイトを表し、前記方程式中の第２の「１」はビットマップ・バイトの数を表し、そして、「アクティブ・ビットの数」は、前記ＭｅＮＢおよび前記ＳｅＮＢのすべてのアクティブＳセルの数を表し、
「Ｒ」＝０のとき、
−  ［ＮＬ−１−１−アクティブ・ビットの数−Ｐｃｍａｘバイトの数］＝１である場合、そのとき、前記ＳｅＮＢの前記ＳＰセルの前記ＰＵＣＣＨ  ＰＨ値は、前記ＰＨＲ  ＭＡＣ  ＣＥの前記ペイロードに含まれ、
−  ［ＮＬ−１−１−アクティブ・ビットの数−Ｐｃｍａｘバイトの数］＝０である場合、そのとき、前記ＳｅＮＢの前記ＳＰセルの前記ＰＵＣＣＨ  ＰＨ値は、前記ＰＨＲ  ＭＡＣ  ＣＥのペイロードに含まれず、
そこにおいて、ＮＬは、前記ＰＨＲ  ＭＡＣ  ＣＥのサブヘッダ内の「Ｌ」フィールドによって指示されるバイト数を表し、前記方程式中の第１の「１」は、前記ＭｅＮＢの前記ＰセルのＰＵＳＣＨ  ＰＨバイトを表し、前記方程式中の第２の「１」は、ビットマップ・バイトの数を表し、そして、「アクティブ・ビットの数」は、前記ＭｅＮＢおよび前記ＳｅＮＢのすべてのアクティブＳセルの数を表す、
という方法によって判定される、請求項１９に記載の方法。
【発明の詳細な説明】
【技術分野】
【０００１】
本発明は、通信システムに関し、詳細には、二重接続においてＰＨＲを拡張するための方法および装置に関する。
【背景技術】
【０００２】
ＤＣ（Ｄｕａｌ  Ｃｏｎｎｅｃｔｉｖｉｔｙ：二重接続）の現在の進歩によれば、以下の２つの合意が、ＰＨＲ（Ｐｏｗｅｒ  Ｈｅａｄｒｏｏｍ  Ｒｅｐｏｒｔ：パワー・ヘッドルーム報告）レポーティングに関連するＲＡＮ２  ８５において達成されている：
−  ＰＨＲ関連タイマーおよびパラメータは、各ＭＡＣエンティティについて独立して構成される、
−  ＰＨＲは、ＵＥ（ユーザ機器）内のすべての起動されたセルのＰＨ情報を含む。
【０００３】
第１の合意は、ＭｅＮＢおよびＳｅＮＢが、それぞれ、ＭｅＮＢおよびＳｅＮＢでのＰＨＲ送信をトリガするためのパラメータを独立して構成することになることを意味する。デフォルトでは、ＵＥが１つの基地局でＰＨＲを報告するとき、このＰＨＲは、この基地局のすべてのアクティブ・セルのＰＨ情報を含まなければならない。
【０００４】
第２の合意は、１つの基地局において送信されるＰＨＲはまた、別の基地局のすべてのアクティブ・セルのＰＨ情報を含まなければならないことを意味する。すなわち、ＰＨＲがどの基地局で送られるかにかかわらず、ＵＥは、両方の基地局のすべてのアクティブ・セルのＰＨ情報をＰＨＲ  ＭＡＣ  ＣＥ内に含めなくてはならない。
【発明の概要】
【０００５】
論考を簡潔にするために、以下の定義が与えられる：
−  ＰＨＲレポーティングをトリガする基地局は、ｅＮＢ＿Ｔと呼ばれ、
−  ＰＨＲレポーティングをトリガしない基地局は、ｅＮＢ＿ＮＴと呼ばれ、
−  ｅＮＢ＿Ｔのアクティブ・セルのＰＨ情報を伝えるＰＨＲは、ＰＨＲ＿Ｔと呼ばれ、
−  ｅＮＢ＿ＮＴのアクティブ・セルのＰＨ情報を伝えるＰＨＲは、ＰＨＲ＿ＮＴと呼ばれる。
【０００６】
前述の定義によれば、ＤＣシナリオにおけるＰＨＲ送信方式は、以下のように与えられる：ｅＮＢ＿Ｔが、ＰＨＲ送信をトリガし、関連ＰＨＲ  ＭＡＣ  ＣＥがｅＮＢ＿Ｔで送られる。そして、このＰＨＲ  ＭＡＣ  ＣＥは、ＰＨＲ＿ＴおよびＰＨＲ＿ＮＴの両方を運ばなければならない。
【０００７】
この新しいＰＨＲ送信方式を実現するためには、以下の問題が解決されなければならない：
−  ＰＨＲ＿Ｔを報告するときにＰＨＲ＿ＮＴを計算する方法、
−  ｅＮＢ＿Ｔで送信されるＰＨＲ  ＭＡＣ  ＣＥにＰＨＲ＿ＴおよびＰＨＲ＿ＮＴを含める方法、
−  ＰＨＲ＿ＴとＰＨＲ＿ＮＴとをｅＮＢ＿Ｔに明確に区別させる方法。
【０００８】
Ｒ１１定義の拡張ＰＨＲ  ＭＡＣ  ＣＥによれば、Ｐセルには２つのタイプのＰＨがあり、タイプ１およびタイプ２と呼ばれる。タイプ１は、ＰＵＳＣＨ  ＰＨ情報を考慮し、一方、タイプ２は、ＰＵＣＣＨ  ＰＨ情報を対象とする。一方、Ｓセルについて、ＰＨは、ＰＵＳＣＨ情報のみを考慮する。そして、ＰＨＲ  ＭＡＣ  ＣＥペイロード部分では、１つのビットマップ・ベースのバイトが、どのアクティブＳセルがＭＡＣ  ＣＥで提示されるＰＨ情報を有するかを示すために使用される。これは、図１に示される。
【０００９】
Ｒ１１に定義されるように、２つのタイプのアクティブ・セルが存在する：ＰセルおよびＳセル。Ｐセルについては、２つのタイプのＰＨ情報が存在し、タイプ１のＰＨは、ＰＵＳＣＨ送信を参照し、タイプ２のＰＨは、ＰＵＣＣＨ送信を参照する。Ｓセルについては、ＰＵＳＣＨ送信を参照するタイプ１のＰＨのみが提示される。この拡張ＰＨＲ  ＭＡＣ  ＣＥについては、図１に示すように、タイプ２およびタイプ１のＰＨ値は、図１で「Ｖ」ビットによって示される現在の送信フォーマットまたは基準フォーマットに基づいて計算することができる。
【００１０】
また、図１に示すように、ＰセルおよびＳセルのＰＨ情報は、固定の順番でＰＨＲ  ＭＡＣ  ＣＥ内に置かれる：ＰセルＰＨＲ、タイプ１およびタイプ２は、第１の部分に置かれ、次いで、Ｓセル・インデックスによる昇順でＳセルのＰＨＲが続く。
【００１１】
Ｒ１２  ＤＣシナリオにおけるＳｅＮＢについては、２つの種類の送信チャネルも存在する：ＳＰセルに置かれたＰＵＳＣＨおよびＰＵＣＣＨ、そして、ＳｅＮＢの他のＳセルについては、ＰＵＳＣＨのみが考慮される。したがって、本発明によって解決されるべき問題は、図１に示すＰＨＲフォーマットが、ＳｅＮＢアクティブ・セルのＰＨを運ぶのに有効であるかどうか、である。または、任意の拡張が必要とされるか、すなわち、ＰＨＲがＳｅＮＢによってトリガされる場合、対応するＰＨＲ  ＭＡＣ  ＣＥがどのように見えるか、である。
【００１２】
したがって、本発明の一実施形態は、二重接続シナリオのユーザ機器におけるＳｅＮＢのＰＨＲ  ＭＡＣ  ＣＥのＳｅＮＢへの提供の方法を提案し、本方法は以下を含む：
−  ＳｅＮＢのＰＨＲ  ＭＡＣ  ＣＥをＳｅＮＢに送信するステップであり、ＰＨＲ  ＭＡＣ  ＣＥが、ＳｅＮＢのＳＰセルのＰＨ情報およびＳｅＮＢの１つまたは複数のアクティブＳセルのＰＨ情報を含み、ＳＰセルのＰＨ情報が、ＰＨＲ  ＭＡＣ  ＣＥのペイロードの開始位置に置かれ、ＳセルのＰＨ情報が、Ｓセルのインデックス・シーケンスに基づいて開始位置のすぐ後の後続の位置に置かれる、または、ＳＰセルのＰＨ情報が、ＰＨＲ  ＭＡＣ  ＣＥのペイロードの終了位置に置かれ、ＳセルのＰＨ情報が、Ｓセルのインデックス・シーケンスに基づいて終了位置のすぐ前の先行する位置に置かれる、ステップ。
【００１３】
有利には、Ｓセルのインデックスを示すビットは、常に、０にセットされる。
【００１４】
有利には、ＰＨＲ  ＭＡＣ  ＣＥのペイロードが、ＳＰセルのＰＵＳＣＨ  ＰＨ情報およびＰＵＣＣＨ  ＰＨ情報の両方を含むとき、ＳＰセルのＰＵＣＣＨ  ＰＨ情報は、ＰＨＲ  ＭＡＣ  ＣＥのペイロード内の以下の位置のうちのいずれか１つに置かれる：
−  ＳＰセルのＰＵＳＣＨ  ＰＨ情報のすぐ前の位置に直接置かれる、
−  ＳＰセルのＰＵＳＣＨ  ＰＨ情報のすぐ後の位置に直接置かれる。
【００１５】
本発明のもう１つの実施形態は、二重接続シナリオのユーザ機器におけるＳｅＮＢのＰＨＲ  ＭＡＣ  ＣＥのＳｅＮＢへの提供の方法を提案し、本方法は以下を含む：
−  ＳｅＮＢのＰＨＲ  ＭＡＣ  ＣＥをＳｅＮＢに送信するステップであって、ＰＨＲ  ＭＡＣ  ＣＥのペイロードが、ＳｅＮＢのＳＰセルおよびＳセルのインデックス・シーケンスに基づいて配列されたＳＰセルのＰＨ情報および１つまたは複数のアクティブＳセルのＰＨ情報を含む、ステップ。
【００１６】
有利には、ＰＨＲ  ＭＡＣ  ＣＥのペイロードが、ＳＰセルのＰＵＳＣＨ  ＰＨ情報およびＰＵＣＣＨ  ＰＨ情報の両方を含むとき、ＳＰセルのＰＵＣＣＨ  ＰＨ情報は、ＰＨＲ  ＭＡＣ  ＣＥのペイロード内の以下の位置のうちのいずれか１つに置かれる：
−  ＳＰセルのＰＵＳＣＨ  ＰＨ情報のすぐ前の位置に直接置かれる、
−  ＳＰセルのＰＵＳＣＨ  ＰＨ情報のすぐ後の位置に直接置かれる、
−  ＰＨＲ  ＭＡＣ  ＣＥのペイロードの終了位置に置かれる、
−  ＰＨＲ  ＭＡＣ  ＣＥのペイロードのビットマップ・バイトのすぐ後の位置に直接置かれる。
【００１７】
本発明のもう１つの実施形態は、二重接続シナリオのユーザ機器におけるｅＮＢ＿ＮＴのＰセル／ＳＰセルのＰＵＣＣＨ  ＰＨ値の計算の方法を提案し、本方法は以下を含む：
−  Ｐセル／ＳＰセルのＰＵＣＣＨ送信の基準フォーマットに基づいてＰセル／ＳＰセルのＰＵＣＣＨ  ＰＨ値を計算するステップ。
【００１８】
本発明のもう１つの実施形態は、二重接続シナリオのユーザ機器におけるｅＮＢ＿ＮＴのＰセル／ＳＰセルのＰＵＣＣＨ  ＰＨ値の計算の方法を提案し、本方法は以下を含む：
−  現在のＴＴＩでＰセル／ＳＰセルの実際のＰＵＣＣＨ送信フォーマットに基づいてＰセル／ＳＰセルのＰＵＣＣＨ  ＰＨ値を計算するステップ。
【００１９】
本発明のもう１つの実施形態は、二重接続シナリオのユーザ機器におけるｅＮＢ＿ＮＴのＰセル／ＳＰセルのＰＵＣＣＨ  ＰＨ値の計算の方法を提案し、本方法は以下を含む：
−  Ｐセル／ＳＰセルのＰＵＣＣＨ  ＰＨ値が報告されるときに、Ｐセル／ＳＰセルのＰＵＣＣＨ送信が存在するかどうかを判定するステップ、
−  ＰＵＣＣＨ送信が存在しない場合、次いで、Ｐセル／ＳＰセルのＰＵＣＣＨ送信の基準フォーマットに基づいてＰセル／ＳＰセルのＰＵＣＣＨ  ＰＨ値を計算するステップ、
−  ＰＵＣＣＨ送信が存在する場合、次いで、Ｐセル／ＳＰセルのＰＵＣＣＨ  ＰＨ値が報告されるときにＰセル／ＳＰセルの実際のＰＵＣＣＨ送信フォーマットに基づいてＰセル／ＳＰセルのＰＵＣＣＨ  ＰＨ値を計算するステップ。
【００２０】
有利には、本方法は、以下をさらに含む：
−  Ｐセル／ＳＰセルの計算されたＰＵＣＣＨ  ＰＨ値をＰＨＲ  ＭＡＣ  ＣＥを介してｅＮＢ＿Ｔに送信するステップであって、ＰＨＲ  ＭＡＣ  ＣＥがさらに、ユーザ機器側でのＰセル／ＳＰセルのＰＵＣＣＨ  ＰＨ値の計算方法を指示するための指示情報をさらに含む、ステップ。
【００２１】
本発明のもう１つの実施形態は、二重接続シナリオのユーザ機器においてｅＮＢ＿ＮＴのＰセル／ＳＰセルおよび１つもしくは複数のアクティブＳセルのＰＵＳＣＨ  ＰＨ値を計算する方法を提案し、本方法は以下を含む：
−  Ｐセル／ＳＰセルおよびＳセルのＰＵＳＣＨ送信の基準フォーマットに基づいてＰセル／ＳＰセルおよびＳセルのＰＵＳＣＨ  ＰＨ値をそれぞれ計算するステップ。
【００２２】
本発明のもう１つの実施形態は、二重接続シナリオのユーザ機器においてｅＮＢ＿ＮＴのＰセル／ＳＰセルおよび１つもしくは複数のアクティブＳセルのＰＵＳＣＨ  ＰＨ値を計算する方法を提案し、本方法は以下を含む：
−  Ｐセル／ＳＰセルおよびＳセルのＰＵＳＣＨ  ＰＨ値が報告されるときにＰセル／ＳＰセルおよびＳセルの現在の実際のＰＵＳＣＨ送信フォーマットに基づいてＰセル／ＳＰセルおよびＳセルのＰＵＳＣＨ  ＰＨ値を計算するステップ。
【００２３】
有利には、本方法は、以下をさらに含む：
−  Ｐセル／ＳＰセルおよびＳセルの計算されたＰＵＳＣＨ  ＰＨ値をＰＨＲ  ＭＡＣ  ＣＥを介してｅＮＢ＿Ｔに送信するステップであって、ＰＨＲ  ＭＡＣ  ＣＥを運ぶＭＡＣ  ＰＤＵがさらに、ｅＮＢ＿ＮＴの現在の実際の送信フォーマットを指示するための情報を含む、ステップ。
【００２４】
本発明のもう１つの実施形態は、二重接続シナリオのユーザ機器においてｅＮＢ＿ＴにＰＨＲ  ＭＡＣ  ＣＥを提供する方法を提案し、本方法は以下を含む：
−  ｅＮＢ＿ＴにＭＡＣ  ＰＤＵを送信するステップであって、ＭＡＣ  ＰＤＵは、ｅＮＢ＿Ｔに対応するＰＨＲ  ＭＡＣ  ＣＥおよびｅＮＢ＿ＮＴに対応するＰＨＲ  ＭＡＣ  ＣＥを含み、それらの２つのＰＨＲ  ＭＡＣ  ＣＥのそれぞれのサブヘッダは、ＰＨＲ  ＭＡＣ  ＣＥのペイロードで運ばれるＰＨ情報がｅＮＢ＿Ｔのアクティブ・セルのＰＨ情報かｅＮＢ＿Ｔのアクティブ・セルのＰＨ情報かを指示するための指示情報を含む、ステップ。
【００２５】
有利には、その指示情報は、以下のうちのいずれか１つによって実現される：
−  ＰＨＲ  ＭＡＣ  ＣＥのサブヘッダ内の「ＬＣＩＤ」フィールド、
−  ＰＨＲ  ＭＡＣ  ＣＥのサブヘッダ内にファイルされた「Ｆ」。
【００２６】
本発明のもう１つの実施形態は、二重接続シナリオのユーザ機器においてＰＨＲ  ＭＡＣ  ＣＥをｅＮＢ＿Ｔに提供する方法を提案し、本方法は以下を含む：
−  ＭＡＣ  ＰＤＵをｅＮＢ＿Ｔに送信するステップであって、ＭＡＣ  ＰＤＵがＰＨＲ  ＭＡＣ  ＣＥを含み、ＰＨＲ  ＭＡＣ  ＣＥのペイロードがｅＮＢ＿Ｔのアクティブ・セルに対応するＰＨ情報およびｅＮＢ＿ＮＴのアクティブ・セルに対応するＰＨ情報を含み、ＰＨＲ  ＭＡＣ  ＣＥのペイロードが、第１のビットマップ・バイト、第１のビットマップ・バイトのすぐ後に続く第２のビットマップ・バイト、第２のビットマップ・バイトのすぐ後に続くｅＮＢ＿Ｔのアクティブ・セルのＰＨ情報、および、ｅＮＢ＿Ｔのアクティブ・セルのＰＨ情報のすぐ後に続くｅＮＢ＿ＮＴのアクティブ・セルのＰＨ情報を含み、そして、第１のビットマップ・バイトは、ｅＮＢ＿Ｔのどのアクティブ・セルがＰＨＲ  ＭＡＣ  ＣＥのペイロードに含まれるＰＨ情報を有するかを指示するために使用され、第２のビットマップ・バイトは、ｅＮＢ＿ＮＴのどのアクティブ・セルがＰＨＲ  ＭＡＣ  ＣＥのペイロードに含まれるＰＨ情報を有するかを指示するために使用される、ステップ、そして、
第１のビットマップ・バイト内の「Ｒ」ビットが、ｅＮＢ＿ＴのＰセル／ＳＰセルのＰＵＣＣＨ  ＰＨ値がｅＮＢ＿Ｔのアクティブ・セルのＰＨ情報に含まれるかどうかを指示するために使用され、第２のビットマップ・バイト内の「Ｒ」ビットが、ｅＮＢ＿ＮＴのＰセル／ＳＰセルのＰＵＣＣＨ  ＰＨ値がｅＮＢ＿ＮＴのアクティブ・セルのＰＨ情報に含まれるかどうかを指示するために使用される、あるいは、
ＭｅＮＢに対応するビットマップ・バイトの「Ｒ」ビットが、ＭｅＮＢのＰセルのＰＵＣＣＨ  ＰＨ値がＭｅＮＢのアクティブ・セルのＰＨ情報に含まれるかどうかを指示するために使用される。
【００２７】
本発明のもう１つの実施形態は、二重接続シナリオのユーザ機器においてＰＨＲ  ＭＡＣ  ＣＥをｅＮＢ＿Ｔに提供する方法を提案し、本方法は以下を含む：
−  ＭＡＣ  ＰＤＵをｅＮＢ＿Ｔに送信するステップであって、ＭＡＣ  ＰＤＵがＰＨＲ  ＭＡＣ  ＣＥを含み、ＰＨＲ  ＭＡＣ  ＣＥのペイロードがｅＮＢ＿Ｔのアクティブ・セルに対応するＰＨ情報およびｅＮＢ＿ＮＴのアクティブ・セルに対応するＰＨ情報を含み、ＰＨＲ  ＭＡＣ  ＣＥのペイロードは、ｅＮＢ＿Ｔのどのアクティブ・セルがＰＨＲ  ＭＡＣ  ＣＥのペイロードに含まれるＰＨ情報を有するか、および、ｅＮＢ＿ＮＴのどのアクティブ・セルがＰＨＲ  ＭＡＣ  ＣＥのペイロードに含まれるＰＨ情報を有するかを指示するためのビットマップ・バイトを含み、そして、ＰＨＲ  ＭＡＣ  ＣＥのペイロードは、ビットマップ・バイトのすぐ後に続くＭｅＮＢのＰセルのＰＨ情報と、ＭｅＮＢのアクティブＳセルおよびＳｅＮＢのすべてのアクティブ・セルのインデックス・シーケンスに基づいて配列された、ＭｅＮＢのＰセルのＰＨ情報のすぐ後に続く、ＭｅＮＢの１つまたは複数のアクティブＳセルおよびＳｅＮＢのすべてのアクティブ・セルのＰＨ情報とをさらに含み、ビットマップ・バイト内の「Ｒ」ビットは、ＭｅＮＢのＰセルのＰＵＣＣＨ  ＰＨ値がＰＨＲ  ＭＡＣ  ＣＥのペイロードに含まれるかどうかを指示するために使用される、ステップ。
【００２８】
本発明のもう１つの実施形態は、二重接続シナリオのＳｅＮＢにおいてＰＨＲ  ＭＡＣ  ＣＥを受信する方法を提案し、本方法は以下を含む：
−  ユーザ機器からＳｅＮＢのＰＨＲ  ＭＡＣ  ＣＥを受信するステップであって、ＰＨＲ  ＭＡＣ  ＣＥがＳｅＮＢのＳＰセルのＰＨ情報およびＳｅＮＢの１つまたは複数のアクティブＳセルのＰＨ情報を含み、ＳＰセルのＰＨ情報が、ＰＨＲ  ＭＡＣ  ＣＥのペイロードの開始位置に置かれ、ＳセルのＰＨ情報が、Ｓセルのインデックス・シーケンスに基づいて開始位置のすぐ後のそれに続く位置に置かれる、または、ＳＰセルのＰＨ情報が、ＰＨＲ  ＭＡＣ  ＣＥのペイロードの終了位置に置かれ、ＳセルのＰＨ情報が、Ｓセルのインデックス・シーケンスに基づいて終了位置のすぐ前の先行する位置に置かれる、ステップ、
−  ［ＮＬ−ｌ−ｎ−Ｐｃｍａｘバイトの数］＝０か１かを判定するステップ、
−  ［ＮＬ−ｌ−ｎ−Ｐｃｍａｘバイトの数］＝０である場合、そのとき、ＰＨＲ  ＭＡＣ  ＣＥのペイロードはＳＰセルのＰＵＳＣＨ  ＰＨ情報のみを含むと判定され、
−  ［ＮＬ−１−ｎ−Ｐｃｍａｘバイトの数］＝１である場合、そのとき、ＰＨＲ  ＭＡＣ  ＣＥのペイロードはＳＰセルのＰＵＳＣＨ  ＰＨ情報およびＰＵＣＣＨ  ＰＨ情報の両方を含むと判定される、
−  ＳＰセルのインデックスを無視し、ＰＨＲ  ＭＡＣ  ＣＥを切り離すステップ、
そこにおいて、ＮＬは、ＰＨＲ  ＭＡＣ  ＣＥのサブヘッダ内の「Ｌ」フィールドによって指示されるバイト数を表し、「１」は、ビットマップ・バイトの数を表し、「ｎ」はＰＨＲ  ＭＡＣ  ＣＥのペイロードに含まれるＰＨ情報を有するＳｅＮＢのアクティブ・セルの数を表し、そして、「Ｐｃｍａｘバイトの数」は各ＰＨ情報バイト内の「Ｐ」＝１の数を表す。
【００２９】
本発明のもう１つの実施形態は、二重接続シナリオのＳｅＮＢにおいてＰＨＲ  ＭＡＣ  ＣＥを受信する方法を提案し、本方法は以下を含む：
−  ユーザ機器からＳｅＮＢのＰＨＲ  ＭＡＣ  ＣＥを受信するステップであって、ＰＨＲ  ＭＡＣ  ＣＥのペイロードが、ＳｅＮＢのＳＰセルおよびＳセルのインデックス・シーケンスに基づいて配列されたＳＰセルのＰＨ情報および１つまたは複数のアクティブＳセルのＰＨ情報を含む、ステップ、
−  ［ＮＬ−１−ｎ−Ｐｃｍａｘバイトの数］＝０か１かを判定するステップ、
−  ［ＮＬ−１−ｎ−Ｐｃｍａｘバイトの数］＝０である場合、そのとき、ＰＨＲ  ＭＡＣ  ＣＥのペイロードはＳＰセルのＰＵＳＣＨ  ＰＨ情報のみを含むと判定され、
−  ［ＮＬ−１−ｎ−Ｐｃｍａｘバイトの数］＝１である場合、そのとき、ＰＨＲ  ＭＡＣ  ＣＥのペイロードはＳＰセルのＰＵＳＣＨ  ＰＨ情報およびＰＵＣＣＨ  ＰＨ情報の両方を含むと判定される、
−  ＰＨＲ  ＭＡＣ  ＣＥを切り離すステップ
そこにおいて、ＮＬは、ＰＨＲ  ＭＡＣ  ＣＥのサブヘッダ内の「Ｌ」フィールドによって指示されるバイト数を表し、「１」は、ビットマップ・バイトの数を表し、「ｎ」はＰＨＲ  ＭＡＣ  ＣＥのペイロードに含まれるＰＨ情報を有するＳｅＮＢのアクティブ・セルの数を表し、そして、「Ｐｃｍａｘバイトの数」は、各ＰＨ情報バイト内の「Ｐ」＝１の数を表す。
【００３０】
本発明のもう１つの実施形態は、二重接続シナリオのｅＮＢ＿ＴにおいてｅＮＢ＿ＮＴのＰセル／ＳＰセルのＰＵＣＣＨ  ＰＨ値を処理する方法を提案し、本方法は以下を含む：
−  ｅＮＢ＿ＮＴとＸ２インターフェースを介してＰＵＣＣＨ送信の互いの構成された基準フォーマットを交換するステップ、
−  その中にｅＮＢ＿ＮＴのＰセル／ＳＰセルのＰＵＣＣＨ  ＰＨ値が含まれるＰＨＲ  ＭＡＣ  ＣＥをユーザ機器から受信するステップ、
−  ｅＮＢ＿ＮＴのＰＵＣＣＨ送信の構成された基準フォーマットに従ってＰＨＲ  ＭＡＣ  ＣＥにおいてＰセル／ＳＰセルのＰＵＣＣＨ  ＰＨ値を切り離すステップ。
【００３１】
本発明のもう１つの実施形態は、二重接続シナリオのｅＮＢ＿ＴにおいてｅＮＢ＿ＮＴのＰセル／ＳＰセルのＰＵＣＣＨ  ＰＨ値を処理する方法を提案し、本方法は以下を含む：
−  Ｘ２インターフェースを介して互いの現在の構成されたＰＵＣＣＨ送信フォーマットをｅＮＢ＿ＮＴと交換するステップ、
−  その中にｅＮＢ＿ＮＴのＰセル／ＳＰセルのＰＵＣＣＨ  ＰＨ値が含まれるＰＨＲ  ＭＡＣ  ＣＥをユーザ機器から受信するステップ、
−  ｅＮＢ＿ＮＴの現在の構成されたＰＵＣＣＨ送信フォーマットに従ってＰＨＲ  ＭＡＣ  ＣＥにおいてＰセル／ＳＰセルのＰＵＣＣＨ  ＰＨ値を切り離すステップ。
【００３２】
有利には、本方法は、以下をさらに含む：
−  ｅＮＢ＿Ｔがその構成されたＰＵＣＣＨ送信フォーマットを更新した場合、次いで、更新されたＰＵＣＣＨ送信フォーマットをＸ２インターフェースを介してｅＮＢ＿ＮＴに送信するステップ、または、
−  ｅＮＢ＿ＮＴがその構成されたＰＵＣＣＨ送信フォーマットを更新した場合、次いで、ｅＮＢ＿ＮＴの更新されたＰＵＣＣＨ送信フォーマットをＸ２インターフェースを介してｅＮＢ＿ＮＴから受信するステップ。
【００３３】
本発明のもう１つの実施形態は、二重接続シナリオのｅＮＢ＿ＴにおいてｅＮＢ＿ＮＴのＰセル／ＳＰセルのＰＵＣＣＨ  ＰＨ値を処理する方法を提案し、本方法は以下を含む：
−  Ｘ２インターフェースを介してＰＵＣＣＨ送信の互いの構成された基準フォーマットおよび互いの現在の構成されたＰＵＣＣＨ送信フォーマットをｅＮＢ＿ＮＴと交換するステップ、
−  その中にｅＮＢ＿ＮＴのＰセル／ＳＰセルのＰＵＣＣＨ  ＰＨ値が含まれるＰＨＲ  ＭＡＣ  ＣＥ、および、Ｐセル／ＳＰセルのＰＵＣＣＨ  ＰＨ値がユーザ機器側で計算される計算方法に関する情報をユーザ機器から受信するステップ、
−  それによってＰセル／ＳＰセルのＰＵＣＣＨ  ＰＨ値がユーザ機器側で計算される計算方法に基づいて、ｅＮＢ＿ＮＴのＰＵＣＣＨ送信の構成された基準フォーマットおよびその計算方法に対応するｅＮＢ＿ＮＴの現在の構成されたＰＵＣＣＨ送信フォーマットのうちの１つに従って、ＰＨＲ  ＭＡＣ  ＣＥにおいてＰセル／ＳＰセルのＰＵＣＣＨ  ＰＨ値を切り離すステップ。
【００３４】
有利には、本方法は、以下をさらに含む：
−  ｅＮＢ＿Ｔがその構成されたＰＵＣＣＨ送信フォーマットを更新した場合、次いで、更新されたＰＵＣＣＨ送信フォーマットを、Ｘ２インターフェースを介してｅＮＢ＿ＮＴに送信するステップ、または、
−  ｅＮＢ＿ＮＴがその構成されたＰＵＣＣＨ送信フォーマットを更新した場合、次いで、ｅＮＢ＿ＮＴの更新されたＰＵＣＣＨ送信フォーマットを、Ｘ２インターフェースを介してｅＮＢ＿ＮＴから受信するステップ。
【００３５】
本発明のもう１つの実施形態は、ｅＮＢ＿ＮＴのＰセル／ＳＰセルおよび１つもしくは複数のアクティブＳセルのＰＵＳＣＨ  ＰＨ値を二重接続シナリオのｅＮＢ＿Ｔにおいて処理する方法を提案し、本方法は以下を含む：
−  ｅＮＢ＿ＮＴとＸ２インターフェースを介してＰＵＳＣＨ送信の互いの構成された基準フォーマットを交換するステップ、
−  ｅＮＢ＿ＮＴのＰセル／ＳＰセルおよびＳセルのＰＵＳＣＨ  ＰＨ値がその中に含まれるＰＨＲ  ＭＡＣ  ＣＥをユーザ機器から受信するステップ、
−  ｅＮＢ＿ＮＴのＰＵＳＣＨ送信の構成された基準フォーマットに従ってＰＨＲ  ＭＡＣ  ＣＥにおいてＰセル／ＳＰセルおよびＳセルのＰＵＳＣＨ  ＰＨ値を切り離すステップ。
【００３６】
本発明のもう１つの実施形態は、二重接続シナリオのｅＮＢ＿ＴにおいてｅＮＢ＿ＮＴのＰセル／ＳＰセルおよび１つもしくは複数のアクティブＳセルのＰＵＳＣＨ  ＰＨ値を処理する方法を提案し、本方法は以下を含む：
−  ｅＮＢ＿ＮＴのＰセル／ＳＰセルおよびＳセルのＰＵＳＣＨ  ＰＨ値がその中に含まれるＰＨＲ  ＭＡＣ  ＣＥをユーザ機器から受信するステップであって、ＭＡＣ  ＰＤＵが、ｅＮＢ＿ＮＴの現在の実際の送信フォーマットを指示するための情報をさらに含むＰＨＲ  ＭＡＣ  ＣＥを運ぶ、ステップ、
−  ｅＮＢ＿ＮＴの現在の実際の送信フォーマットに従ってＰＨＲ  ＭＡＣ  ＣＥにおいてＰセル／ＳＰセルおよびＳセルのＰＵＳＣＨ  ＰＨ値を切り離すステップ。
【００３７】
本発明のもう１つの実施形態は、二重接続シナリオのｅＮＢ＿ＴにおいてＰＨＲ  ＭＡＣ  ＣＥを区別する方法を提案し、本方法は以下を含む：
−  ユーザ機器からＭＡＣ  ＰＤＵを受信するステップであって、ＭＡＣ  ＰＤＵがｅＮＢ＿Ｔに対応するＰＨＲ  ＭＡＣ  ＣＥおよびｅＮＢ＿ＮＴに対応するＰＨＲ  ＭＡＣ  ＣＥを含み、それらの２つのＰＨＲ  ＭＡＣ  ＣＥのそれぞれのサブヘッダが、ＰＨＲ  ＭＡＣ  ＣＥのペイロードで運ばれるＰＨ情報がｅＮＢ＿Ｔのアクティブ・セルのＰＨ情報かｅＮＢ＿ＮＴのアクティブ・セルのＰＨ情報かを指示するための指示情報を含む、ステップ、
−  それらの２つのＰＨＲ  ＭＡＣ  ＣＥのそれぞれのサブヘッダ内の指示情報に基づいて、ｅＮＢ＿Ｔに対応するＰＨＲ  ＭＡＣ  ＣＥとｅＮＢ＿ＮＴに対応するＰＨＲ  ＭＡＣ  ＣＥとを区別するステップ。
【００３８】
本発明のもう１つの実施形態は、二重接続シナリオのｅＮＢ＿ＴにおいてＰＨＲ  ＭＡＣ  ＣＥを処理する方法を提案し、本方法は以下を含む：
−  ｅＮＢ＿ＴからＭＡＣ  ＰＤＵを受信するステップであって、ＭＡＣ  ＰＤＵがＰＨＲ  ＭＡＣ  ＣＥを含み、ＰＨＲ  ＭＡＣ  ＣＥのペイロードがｅＮＢ＿Ｔのアクティブ・セルに対応するＰＨ情報およびｅＮＢ＿ＮＴのアクティブ・セルに対応するＰＨ情報を含み、ＰＨＲ  ＭＡＣ  ＣＥのペイロードが、第１のビットマップ・バイト、第１のビットマップ・バイトのすぐ後に続く第２のビットマップ・バイト、第２のビットマップ・バイトのすぐ後に続くｅＮＢ＿Ｔのアクティブ・セルのＰＨ情報、および、ｅＮＢ＿Ｔのアクティブ・セルのＰＨ情報のすぐ後に続くｅＮＢ＿ＮＴのアクティブ・セルのＰＨ情報を含み、そして、第１のビットマップ・バイトは、ｅＮＢ＿Ｔのどのアクティブ・セルがＰＨＲ  ＭＡＣ  ＣＥのペイロードに含まれるＰＨ情報を有するかを指示するために使用され、第２のビットマップ・バイトは、ｅＮＢ＿ＮＴのどのアクティブ・セルがＰＨＲ  ＭＡＣ  ＣＥのペイロードに含まれるＰＨ情報を有するかを指示するために使用され、そして、第１のビットマップ・バイト内の「Ｒ」ビットは、ｅＮＢ＿ＴのＰセル／ＳＰセルのＰＵＣＣＨ  ＰＨ値がｅＮＢ＿Ｔのアクティブ・セルのＰＨ情報に含まれるかどうかを指示するために使用され、第２のビットマップ・バイト内の「Ｒ」ビットは、ｅＮＢ＿ＮＴのＰセル／ＳＰセルのＰＵＣＣＨ  ＰＨ値がｅＮＢ＿ＮＴのアクティブ・セルのＰＨ情報に含まれるかどうかを指示するために使用される、ステップ、
−  ｅＮＢ＿Ｔのアクティブ・セルのＰＨ情報の終了位置を判定し、第１のビットマップ・バイト内の「Ｒ」ビットおよび第２のビットマップ・バイト内の「Ｒ」ビットに基づいてＰＨＲ  ＭＡＣ  ＣＥのペイロード内のｅＮＢ＿Ｔのアクティブ・セルに対応するＰＨ情報およびＰＨＲ  ＭＡＣ  ＣＥのペイロード内のｅＮＢ＿ＮＴのアクティブ・セルに対応するＰＨ情報を切り離すステップ。
【００３９】
本発明のもう１つの実施形態は、二重接続シナリオのｅＮＢ＿ＴにおいてＰＨＲ  ＭＡＣ  ＣＥを処理する方法を提案し、本方法は以下を含む：
−  ｅＮＢ＿ＴからＭＡＣ  ＰＤＵを受信するステップであって、ＭＡＣ  ＰＤＵがＰＨＲ  ＭＡＣ  ＣＥを含み、ＰＨＲ  ＭＡＣ  ＣＥのペイロードがｅＮＢ＿Ｔのアクティブ・セルに対応するＰＨ情報およびｅＮＢ＿ＮＴのアクティブ・セルに対応するＰＨ情報を含み、ＰＨＲ  ＭＡＣ  ＣＥのペイロードは、第１のビットマップ・バイト、第１のビットマップ・バイトのすぐ後に続く第２のビットマップ・バイト、第２のビットマップ・バイトのすぐ後に続くｅＮＢ＿Ｔのアクティブ・セルのＰＨ情報、およびｅＮＢ＿Ｔのアクティブ・セルのＰＨ情報のすぐ後に続くｅＮＢ＿ＮＴのアクティブ・セルのＰＨ情報を含み、第１のビットマップ・バイトは、ｅＮＢ＿Ｔのどのアクティブ・セルがＰＨＲ  ＭＡＣ  ＣＥのペイロードに含まれるＰＨ情報を有するかを指示するために使用され、第２のビットマップ・バイトは、ｅＮＢ＿ＮＴのどのアクティブ・セルがＰＨＲ  ＭＡＣ  ＣＥのペイロードに含まれるＰＨ情報を有するかを指示するために使用され、そして、ＭｅＮＢに対応するビットマップ・バイトの「Ｒ」ビットは、ＭｅＮＢのＰセルのＰＵＣＣＨ  ＰＨ値がＭｅＮＢのアクティブ・セルのＰＨ情報に含まれるかどうかを指示するために使用される、ステップ、
−  ＭｅＮＢに対応するビットマップ・バイトの「Ｒ」ビットに基づいて、ＳｅＮＢのＳＰセルのＰＵＣＣＨ  ＰＨ値がＳｅＮＢのアクティブ・セルのＰＨ情報に含まれるかどうかを判定するステップ、
−  ｅＮＢ＿Ｔのアクティブ・セルのＰＨ情報の終了位置を判定し、ＭｅＮＢのＰセルのＰＵＣＣＨ  ＰＨ値がＭｅＮＢのアクティブ・セルのＰＨ情報に含まれるかどうかおよびＳｅＮＢのＳＰセルのＰＵＣＣＨ  ＰＨ値がＳｅＮＢのアクティブ・セルのＰＨ情報に含まれるかどうかに基づいて、ＰＨＲ  ＭＡＣ  ＣＥのペイロード内のｅＮＢ＿Ｔのアクティブ・セルに対応するＰＨ情報およびＰＨＲ  ＭＡＣ  ＣＥのペイロード内のｅＮＢ＿Ｔのアクティブ・セルに対応するＰＨ情報を切り離すステップ。
【００４０】
有利には、ＭｅＮＢに対応するビットマップ・バイトの「Ｒ」＝１は、ＭｅＮＢのＰセルのＰＵＣＣＨ  ＰＨ値がＰＨＲ  ＭＡＣ  ＣＥのペイロードに含まれることを指示するために使用され、そして、「Ｒ」＝０は、ＭｅＮＢのＰセルのＰＵＣＣＨ  ＰＨ値がＰＨＲ  ＭＡＣ  ＣＥのペイロードに含まれないことを指示するために使用され、そこにおいて、ＳｅＮＢのＳＰセルのＰＵＣＣＨ  ＰＨ値がＳｅＮＢのアクティブ・セルのＰＨ情報に含まれるか否かが、以下の方法によって判定される：
「Ｒ」＝１のとき、
−  ［ＮＬ−２−２−第１のビットマップ・タイプおよび第２のビットマップ・タイプ内のアクティブ・ビットの数−Ｐｃｍａｘバイトの数］＝１である場合、そのとき、ＳｅＮＢのＳＰセルのＰＵＣＣＨ  ＰＨ値は、ＳｅＮＢのアクティブ・セルのＰＨ情報に含まれ、
−  ［ＮＬ−２−２−第１のビットマップ・タイプおよび第２のビットマップ・タイプ内のアクティブ・ビットの数−Ｐｃｍａｘバイトの数］＝０である場合、そのとき、ＳｅＮＢのＳＰセルのＰＵＣＣＨ  ＰＨ値は、ＳｅＮＢのアクティブ・セルのＰＨ情報に含まれず、
そこにおいて、ＮＬは、ＰＨＲ  ＭＡＣ  ＣＥのサブヘッダ内の「Ｌ」フィールドによって指示されるバイト数を表し、その方程式中の第１の「２」はＭｅＮＢのＰセルのＰＵＣＣＨ  ＰＨバイトおよびＰＵＳＣＨ  ＰＨバイトを表し、その方程式中の第２の「２」は、ビットマップ・バイトの数を表し、そして、「アクティブ・ビットの数」は、ＭｅＮＢおよびＳｅＮＢのすべてのアクティブＳセルの数を表し、
「Ｒ」＝０のとき、
−  ［ＮＬ−１−２−第１のビットマップ・タイプおよび第２のビットマップ・タイプ内のアクティブ・ビットの数−Ｐｃｍａｘバイトの数］＝１である場合、そのとき、ＳｅＮＢのＳＰセルのＰＵＣＣＨ  ＰＨ値は、ＳｅＮＢのアクティブ・セルのＰＨ情報に含まれ、
−  ［ＮＬ−１−２−第１のビットマップ・タイプおよび第２のビットマップ・タイプ内のアクティブ・ビットの数−Ｐｃｍａｘバイトの数］＝０である場合、そのとき、ＳｅＮＢのＳＰセルのＰＵＣＣＨ  ＰＨ値は、ＳｅＮＢのアクティブ・セルのＰＨ情報に含まれず、
そこにおいて、ＮＬは、ＰＨＲ  ＭＡＣ  ＣＥのサブヘッダ内の「Ｌ」フィールドによって指示されるバイト数を表し、その方程式中の第１の「１」は、ＭｅＮＢのＰセルのＰＵＳＣＨ  ＰＨバイトを表し、その方程式中の第２の「２」は、ビットマップ・バイトの数を表し、そして、「アクティブ・ビットの数」は、ＭｅＮＢおよびＳｅＮＢのすべてのアクティブＳセルの数を表す。
【００４１】
本発明のもう１つの実施形態は、二重接続シナリオのｅＮＢ＿ＴにおいてＰＨＲ  ＭＡＣ  ＣＥを処理する方法を提案し、本方法は以下を含む：
−  ｅＮＢ＿ＴからＭＡＣ  ＰＤＵを受信するステップであって、ＭＡＣ  ＰＤＵはＰＨＲ  ＭＡＣ  ＣＥを含み、ＰＨＲ  ＭＡＣ  ＣＥのペイロードはｅＮＢ＿Ｔのアクティブ・セルに対応するＰＨ情報およびｅＮＢ＿ＮＴのアクティブ・セルに対応するＰＨ情報を含み、ＰＨＲ  ＭＡＣ  ＣＥのペイロードは、ｅＮＢ＿Ｔのどのアクティブ・セルがＰＨＲ  ＭＡＣ  ＣＥのペイロードに含まれるＰＨ情報を有するかおよびｅＮＢ＿ＮＴのどのアクティブ・セルがＰＨＲ  ＭＡＣ  ＣＥのペイロードに含まれるＰＨ情報を有するかを指示するためのビットマップ・バイトを含み、ＰＨＲ  ＭＡＣ  ＣＥのペイロードはさらに、そのビットマップ・バイトのすぐ後に続くＭｅＮＢのＰセルのＰＨ情報と、ＭｅＮＢのアクティブＳセルおよびＳｅＮＢのすべてのアクティブ・セルのインデックス・シーケンスに基づいて配列された、ＭｅＮＢのＰセルのＰＨ情報のすぐ後に続く、ＭｅＮＢの１つまたは複数のアクティブＳセルおよびＳｅＮＢのすべてのアクティブ・セルのＰＨ情報とを含み、そして、ビットマップ・バイト内の「Ｒ」ビットは、ＭｅＮＢのＰセルのＰＵＣＣＨ  ＰＨ値がＰＨＲ  ＭＡＣ  ＣＥのペイロードに含まれるかどうかを指示するために使用される、ステップ、
−  そのビットマップ・バイト内の「Ｒ」ビットに基づいて、ＳｅＮＢのＳＰセルのＰＵＣＣＨ  ＰＨ値がＳｅＮＢのアクティブ・セルのＰＨ情報に含まれるか否かを判定するステップ。
【００４２】
有利には、ビットマップ・バイトの「Ｒ」＝１は、ＭｅＮＢのＰセルのＰＵＣＣＨ  ＰＨ値がＰＨＲ  ＭＡＣ  ＣＥのペイロードに含まれることを指示するために使用され、「Ｒ」＝０は、ＭｅＮＢのＰセルのＰＵＣＣＨ  ＰＨ値がＰＨＲ  ＭＡＣ  ＣＥのペイロードに含まれないことを指示するために使用され、そこにおいて、ＳｅＮＢのＳＰセルのＰＵＣＣＨ  ＰＨ値がＰＨＲ  ＭＡＣ  ＣＥのペイロードに含まれるか否かは、以下の方法で判定される：
「Ｒ」＝１のとき、
−  ［ＮＬ−２−１−アクティブ・ビットの数−Ｐｃｍａｘバイトの数］＝１である場合、そのとき、ＳｅＮＢのＳＰセルのＰＵＣＣＨ  ＰＨ値はＰＨＲ  ＭＡＣ  ＣＥのペイロードに含まれ、
−  ［ＮＬ−２−１−アクティブ・ビットの数−Ｐｃｍａｘバイトの数］＝０である場合、そのとき、ＳｅＮＢのＳＰセルのＰＵＣＣＨ  ＰＨ値はＰＨＲ  ＭＡＣ  ＣＥのペイロードに含まれない、
そこにおいて、ＮＬは、ＰＨＲ  ＭＡＣ  ＣＥのサブヘッダ内の「Ｌ」フィールドによって指示されるバイト数を表し、その方程式中の第１の「２」はＭｅＮＢのＰセルのＰＵＣＣＨ  ＰＨバイトおよびＰＵＳＣＨ  ＰＨバイトを表し、その方程式中の第２の「１」はビットマップ・バイトの数を表し、そして、「アクティブ・ビットの数」は、ＭｅＮＢおよびＳｅＮＢのすべてのアクティブＳセルの数を表し、
「Ｒ」＝０のとき、
−  ［ＮＬ−１−１−アクティブ・ビットの数−Ｐｃｍａｘバイトの数］＝１である場合、そのとき、ＳｅＮＢのＳＰセルのＰＵＣＣＨ  ＰＨ値はＰＨＲ  ＭＡＣ  ＣＥのペイロードに含まれ、
−  ［ＮＬ−１−１−アクティブ・ビットの数−Ｐｃｍａｘバイトの数］＝０である場合、そのとき、ＳｅＮＢのＳＰセルのＰＵＣＣＨ  ＰＨ値はＰＨＲ  ＭＡＣ  ＣＥのペイロードに含まれず、
そこにおいて、ＮＬは、ＰＨＲ  ＭＡＣ  ＣＥのサブヘッダ内の「Ｌ」フィールドによって指示されるバイト数を表し、その方程式中の第１の「１」は、ＭｅＮＢのＰセルのＰＵＳＣＨ  ＰＨバイトを表し、その方程式中の第２の「１」はビットマップ・バイトの数を表し、そして、「アクティブ・ビットの数」は、ＭｅＮＢおよびＳｅＮＢのすべてのアクティブＳセルの数を表す。
【００４３】
有利には、本方法は、以下をさらに含む：
−  ｅＮＢ＿ＮＴとＸ２インターフェースを介してアクティブ・セルの互いの構成されたインデックス情報を交換するステップ。
【００４４】
本発明のそれぞれの態様は、その個々の実施形態の以下の説明からより明らかとなろう。
【００４５】
本発明の他の特徴、目的および利点が、以下のような図面を参照して非限定的実施形態の以下の詳細な説明を再検討するときに、より明らかとなろう。
【図面の簡単な説明】
【００４６】
【図１】既存のＲ１１定義の拡張ＰＨＲ  ＭＡＣ  ＣＥの概略図である。
【図２】本発明の一実施形態によるＰＨＲ  ＭＡＣ  ＣＥのサブヘッダの概略図である。
【図３】本発明の一実施形態によるＰＨＲ  ＭＡＣ  ＣＥの概略図である。
【図４】本発明の一実施形態によるＰＨＲ  ＭＡＣ  ＣＥの概略図である。
【発明を実施するための形態】
【００４７】
図中の同一のまたは同様の参照番号は、同一のまたは同様の構成要素を示す。
【００４８】
本発明のそれぞれの実施形態が、図面とともに詳細に説明される。
【００４９】
１．ＳｅＮＢのためのＰＨＲ  ＭＡＣ  ＣＥフォーマット設計
前述で分析されたように、ＳｅＮＢについては、２つのタイプのセルが、ＵＥに構成されることになる：ＳＰセルおよび正規の１つまたは複数のＳセル。ＳＰセルについては、２つのタイプの送信が、起こることになる：ＰＵＣＣＨおよびＰＵＳＣＨ。したがって、さらに２つのタイプのＰＨ情報が、ＳＰセルについて報告されることになる：タイプ１はＰＵＳＣＨ  ＰＨ情報を対象とし、タイプ２はＰＵＣＣＨ  ＰＨ情報を対象とする。他のＳセルについては、ＰＵＳＣＨ  ＰＨ情報のみが対象とされる。したがって、本発明によって解決されることになる問題は、ＳＰセルＰＨ情報（タイプ１および／またはタイプ２）とＳセルＰＨ情報（タイプ１）とをＳｅＮＢ  ＭＡＣ  ＣＥにおいてどのように配置するか、ＳｅＮＢ  ＰＨＲ  ＭＡＣ  ＣＥを受信するときのＵＥ動作は何か、である。
【００５０】
その問題に関して、２つのオプションが、以下に提案される：
オプション１：ＳＰセルＰＨ情報（タイプ１および／またはタイプ２）が、Ｒ１１定義の拡張ＭＡＣ  ＣＥフォーマットとして固定の位置に置かれる、
オプション２：ＳＰセルＰＨＲ情報（タイプ１および／またはタイプ２）が、昇順または降順など、ＳＰセルおよびＳセル・インデックス順序に従って、可変の位置に置かれる。
【００５１】
オプション１では、ＳＰセルのタイプ１および／またはタイプ２とＳセルのタイプ１とは、Ｒ１１定義のように、固定の順序で置かれる：ＳＰセルのタイプ１および／またはタイプ２は、ＰＨＲ  ＭＡＣ  ＣＥのペイロードの、ビットマップ・バイトのすぐ後に続く、開始位置に置かれ、次いで続くＳＰセルのタイプ１および／またはタイプ２は、昇順または降順でＳセル・インデックスに従って配置されたＳセルのタイプ１である。もちろん、ＳＰセルのタイプ１および／またはタイプ２はまた、ＰＨＲ  ＭＡＣ  ＣＥのペイロードの終了位置に置くことができる。それに応じて、タイプ１のＳセルは、Ｓセル・インデックス順序に従って、終了位置のすぐ前の位置に置かれる。しかし、問題は、ＳｅＮＢについて、ＳＰセルが、０００でないインデックスであり、且つＳＰセル変更手続き中に変更され得るインデックスを有することになるということである。したがって、ＳＰセルＰＨ情報が開始位置または終了位置に置かれる場合、そのとき、一例では、ＳＰセルＰＨ情報は、既に、ＰＨＲ  ＭＡＣ  ＣＥペイロードの開始位置または終了位置に置かれているので、ＳＰセル・インデックスを参照する１ビットは、無視されるべきである。すなわち、オプション１では、ＳｅＮＢは、ＳｅＮＢがＰＨＲ  ＭＡＣ  ＣＥを正確に切り離すことを保証するために、このビットが何にセットされたかにかかわらず、ＳＰセル・インデックスを参照するビットを無視すべきである。そうではなく、ＳｅＮＢが、このビットを無視しない場合、ＳｅＮＢは、それが１にセットされた場合にこのビットにリンクされた１つのＰＨもまた存在すると考えることがある。すなわち、１つのＳセルを参照するＰＨがＳＰセルを参照するものと見なされることになるので、ＳｅＮＢは、誤ることになる。もちろん、別の例では、ＳＰセル・インデックスを参照するこのビットは、ＳｅＮＢが、このビットにリンクされた位置にあるＰＨが存在しないと考えるように、「０」にセットすることができる。
【００５２】
オプション１について、タイプ２が、ＰＨＲ  ＭＡＣ  ＣＥのペイロードにおいて提示される場合、そのとき、ＵＥは、タイプ２がどこに置かれているかをはっきりと理解しなければならない。たとえば、タイプ２のＰＨ情報は、タイプ１のＰＨ情報の直前に置かれる、または、タイプ２のＰＨ情報は、タイプ１のＰＨ情報のすぐ後に置かれる。それに応じて、タイプ２がＰＨＲ  ＭＡＣ  ＣＥのペイロードにおいて提示される場合、そのとき、ＳｅＮＢは、前述の位置に従って、タイプ２のＰＨ値を位置付けることができる。
【００５３】
オプション２について、すべてのＰＨ情報（ＳＰセルまたはＳセルにかかわらず）は、昇順または降順などによって、セル・インデックス・シーケンスに従ってＰＨＲ  ＭＡＣ  ＣＥペイロード内に置かれる。このオプションについて、ＳＰセル（タイプ１および／またはタイプ２）のＰＨ情報は、異なるＳＰセル・インデックスに従ってＰＨＲ  ＭＡＣ  ＣＥのペイロードの任意の位置に、たとえば、ＰＨＲ  ＭＡＣ  ＣＥペイロードの開始位置もしくは終了位置、または、開始位置および終了位置以外の任意の位置に、置かれ得る。
【００５４】
オプション２について、タイプ２が、ＰＨＲ  ＭＡＣ  ＣＥのペイロードにおいて提示される場合、そのとき、ＵＥは、タイプ２がどこに置かれているかをはっきりと理解しなければならない。たとえば、タイプ２のＰＨ情報は、タイプ１のＰＨ情報の直前またはタイプ１のＰＨ情報の直後などの固定の位置に、あるいは、ＰＨＲ  ＭＡＣ  ＣＥペイロードの終了位置またはＰＨＲ  ＭＡＣ  ＣＥペイロードのビットマップ・バイトのすぐ後に、置かれ得る。タイプ２が、ＰＨＲ  ＭＡＣ  ＣＥのペイロードにおいて提示される場合、そのとき、ＳｅＮＢは、前述の位置に従って、タイプ２のＰＨ値を位置付けることができる。
【００５５】
オプション１およびオプション２について、ＳｅＮＢは、タイプ１またはタイプ１＋タイプ２がＳＰセルについて提示されるかどうかをはっきりと理解しなければならない。これは、以下の方法によって行うことができる：
［ＮＬ−１（ビットマップ・バイトの数）−ｎ（ビットマップ・バイトにおいて１になるようにセットされたビットの数である、タイプ１のすべてのアクティブ・セル）−Ｐｃｍａｘバイトの数］＝０である場合、そのとき、タイプ１のみが、ＳＰセルについて提示される。
［ＮＬ−ｌ−ｎ−Ｐｃｍａｘバイトの数］＝１である場合、そのとき、タイプ１およびタイプ２の両方が、ＳＰセルについて提示される。
但し、ＮＬは、ＰＨＲ  ＭＡＣ  ＣＥサブヘッダ内の「Ｌ」フィールドによって指示されるバイト数を示し、「１」は、ＰＨＲ  ＭＡＣ  ＣＥペイロードの第１のバイトであるビットマップ・バイトの数を示し、「ｎ」は、ビットマップ・バイトにおいてビットの数＝１である、ＰＨＲ  ＭＡＣ  ＣＥペイロードに含まれるＰＨ情報を有するアクティブ・セルの数を示し、Ｐｃｍａｘの数は、各ＰＨ値バイトにおける「Ｐ」＝１の数である。ここで、ＳｅＮＢは、第１のＰＨ情報から開始するバイトによってＰｃｍａｘバイトの数を検出することができる。「Ｐ」＝１である場合、そのとき、ＳｅＮＢは、Ｐｃｍａｘが後に続くことを理解し、ＳｅＮＢは、Ｐｃｍａｘバイトをスキップし、次のＰＨ値部分に進み、「Ｐ」数をチェックし、継続することになる。前述の２つの原理に基づいて、ＵＥは、ＳＰセルＰＨ内容をはっきりと理解することになる。
【００５６】
したがって、前述のように、ＳｅＮＢのＰＨＲについて、新しいＰＨＲ  ＭＡＣ  ＣＥフォーマットが、定義されるべきである。
【００５７】
２．ＰＨＲ＿ＮＴの計算
前述のように、ＵＥがｅＮＢ＿ＴでＰＨＲ＿Ｔを送る時、ＵＥはまた、ｅＮＢ＿ＴでｅＮＢ＿ＮＴのＰＨＲ＿ＮＴを送るべきである。ＰＨＲ＿ＮＴは、ｅＮＢ＿ＮＴのすべてのアクティブ・セルのＰＨ情報を対象とすべきことは明らかである。ＰＨＲ＿ＮＴ内容は、以下の２つの状況を有し得る：
状況１：ｅＮＢ＿ＮＴがＭｅＮＢである場合、そのとき、ＰＨＲ＿ＮＴは、ＰセルのＰＨ情報およびすべての現在のアクティブＳセルのＰＨ情報を含むべきである。ＰセルＰＨ情報は、タイプ１および／またはタイプ２を対象とし、一方、ＳセルのＰＨ情報は、タイプ１のみを含むことになる。
状況２：ｅＮＢ＿ＮＴがＳｅＮＢである場合、そのとき、ＰＨＲ＿ＮＴは、ＳＰセルのＰＨ情報および他のすべての現在のアクティブＳセルのＰＨ情報を含むべきである。ＳＰセルＰＨＲはタイプ１および／またはタイプ２を含むことができ、一方、アクティブＳセルのＰＨ情報はタイプ１のみを含むことになる。
【００５８】
したがって、前述のように、ｅＮＢ＿ＮＴがＭｅＮＢかＳｅＮＢかにかかわらず、ＰＨＲ＿ＮＴは、タイプ１および／またはタイプ２と多重タイプ１とを含み得る。簡潔にするために、それらは、タイプ１＿ＮＴおよびタイプ２＿ＮＴと呼ばれ、タイプ１＿ＮＴは、Ｐセル（ＳＰセル）およびＳセルのためであり、タイプ２＿ＮＴは、Ｐセル（ＳＰセル）のみのためである。ＰＨＲ＿ＮＴを正確に報告するために、解決されるべき第１の問題は、タイプ１＿ＮＴおよびタイプ２＿ＮＴをどのように計算するかである。この問題は、実際には、タイプ１＿ＮＴまたはタイプ２＿ＮＴを計算するための送信フォーマットの選択方法に関する。その情報は、ｅＮＢ＿Ｔに知られるべきであり、その目的は、ｅＮＢ＿Ｔが受信されたＰＨＲ＿ＮＴを正確に切り離すことを保証することである。そうでない場合、受信されたＰＨＲ＿ＮＴは、ｅＮＢ＿Ｔにとって無用である。以下のオプションが、タイプ１＿ＮＴ／タイプ２＿ＮＴの計算方法に関して提案される。
【００５９】
タイプ２＿ＮＴ計算のために、以下の３つのオプションが提案される：
オプション１：タイプ２＿ＮＴが、常に、ＰＵＣＣＨ基準フォーマットに基づいて計算される、
オプション２：タイプ２＿ＮＴが、常に、現在のＴＴＩにおけるＰＵＣＣＨの実際の送信フォーマットに基づいて計算される、
オプション３：タイプ２＿ＮＴが、タイプ２＿ＮＴが報告されるときに、現在のＰＵＣＣＨ送信状況に基づいて計算される。
【００６０】
オプション１について、ＰＵＣＣＨ送信の基準フォーマットは、ＭｅＮＢおよびＳｅＮＢの間で最初に交換されるべきであり、その目的は、これらの２つの基地局が互いのＰＵＣＣＨ基準フォーマットを理解することを保証することである。次いで、ｅＮＢ＿Ｔがタイプ２＿ＮＴを受信するとき、ｅＮＢ＿Ｔは、ｅＮＢ＿ＮＴ構成のＰＵＣＣＨ基準フォーマットを使用して、受信されたタイプ２＿ＮＴを切り離すことができる。１つの基地局がそのＰＵＣＣＨ基準フォーマットを変更する場合、その基地局はまた、Ｘ２インターフェースを介して別の基地局に知らせなくてはならない。したがって、新しいＸ２メッセージ／手続きを定義して互いの構成されたＰＵＣＣＨ基準フォーマットを交換してｅＮＢ＿Ｔへのタイプ２＿ＮＴレポーティングをサポートすることが必要とされる。
【００６１】
オプション２では、タイプ２＿ＮＴは、タイプ２＿ＮＴが報告されるときに実際のＰＵＣＣＨ送信フォーマットに基づいて計算される。このオプションの合理性は、ＰＵＣＣＨの送信フォーマットが、ＴＴＩ方式によって動的に変更されず、半静的にのみ変更されることである。したがって、タイプ２＿ＮＴがｅＮＢ＿Ｔによって正確に切り離され得るように、ｅＮＢ＿ＴおよびｅＮＢ＿ＮＴが、互いの現在の構成されたＰＵＣＣＨ送信フォーマットを最初に交換することが可能である。１つの基地局が、その構成されたＰＵＣＣＨ送信フォーマットを変更する場合、その基地局はまた、タイプ２＿ＮＴが正確に切り離され得ることを保証するために、この変更を別の基地局に通知しなくてはならない。実際のＰＵＣＣＨ送信フォーマットは、ＵＥによって、ｅＮＢ＿Ｔに確実に通知され得る。
【００６２】
オプション３については、それは、タイプ２が報告であるときにＰＵＣＣＨ送信状況に基づく。すなわち、ＰＵＣＣＨ送信が存在しない場合、そのとき、タイプ２は、基準フォーマットに基づいて計算される。他方で、ＰＵＣＣＨ送信が、タイプ２＿ＮＴがトリガされるときに起こる場合、タイプ２＿ＮＴは、実際の送信フォーマットによって計算される。したがって、このオプション３の重要な課題は、タイプ２＿ＮＴがＵＥ側でどのように計算されるかをｅＮＢ＿Ｔに知らせることである。これは、ＵＥがＵＥ側でのタイプ２＿ＮＴの計算方法をｅＮＢ＿Ｔに通知することによって、たとえば、ＰＨＲ＿ＮＴ  ＭＡＣ  ＣＥに特別な指示を含めることによって、行うことができる。タイプ２＿ＮＴは、現在の実際の状況に従って計算されるので、このオプションは、最も正確なものである。もちろん、本オプションはまた、それぞれオプション１およびオプション２で必要とされるように、基準フォーマットおよび２つの基地局の間のＰＵＣＣＨ送信のために構成された実際の送信フォーマットの交換に基づく。
【００６３】
したがって、タイプ２＿ＮＴでは、３つのオプションが、ＰＵＣＣＨ基準フォーマットまたは実際の送信フォーマットは動的に変化しないという事実に基づいて、実行可能である。したがって、構成されたＰＵＣＣＨ基準フォーマットおよび／または実際の送信フォーマットの事前の交換は、ｅＮＢ＿Ｔがタイプ２＿ＮＴを正確に切り離し得ることを保証することになる。この交換は、Ｒ１２において新しいＸ２手続きを定義することによって、可能にされる。また、オプション３では、ｅＮＢ＿ＴがｅＮＢ＿ＮＴのＰＵＣＣＨ送信状況を理解するように、新しい指示が、ＰＨＲ  ＭＡＣ  ＣＥに含まれるべきである。これは、ＰＨＲ  ＭＡＣ  ＣＥフォーマットの拡張を必要とすることになる。
【００６４】
タイプ１＿ＮＴ計算について、２つのオプションが、考慮され得る：
オプション１：タイプ１＿ＮＴが、常に、ＰＵＳＣＨ送信の基準フォーマットに基づいて計算される、
オプション２：タイプ１＿ＮＴが、ＰＨＲ＿ＮＴが報告されるときに現在のＰＵＳＣＨ送信状況に基づいて計算される。
【００６５】
オプション１については、２つの基地局の間のＰＵＳＣＨ送信の構成された基準フォーマットが、事前に交換されることが必要とされる。
【００６６】
オプション２については、重要な課題は、どの送信フォーマットがタイプ１＿ＮＴ計算のために使用されるかをｅＮＢに知らせることであり、これは、ｅＮＢ＿ＴへのＵＥの通知に基づいて実現され得る。当然ながら、オプション１と比較して、オプション２の実現可能性は、ＵＥが、タイプ１＿ＮＴ計算のために使用される送信フォーマット情報をどのようにしてｅＮＢ＿Ｔに通知し得るかに関して課題がある。ＰＵＳＣＨ送信フォーマットは、オプション２では、ＴＴＩによって動的に変更されることになるので、ＵＥは、ＰＨＲ＿ＮＴ  ＭＡＣ  ＣＥを運ぶ同じＭＡＣ  ＰＤＵにおいて現在の実際の送信フォーマット情報をｅＮＢ＿Ｔに知らせることができる。
【００６７】
したがって、要約すると、タイプ２＿ＮＴについて、オプション１およびオプション２は、構成されたＰＵＣＣＨ基準フォーマットまたは構成されたＰＵＣＣＨの実際の送信フォーマットのいずれかを２つの基地局が交換することのみを必要とし、一方、オプション３は、２つの要件を有する：構成されたＰＵＣＣＨ基準フォーマットおよび実際の送信フォーマットの両方の２つの基地局の間での交換、そして、ＵＥはまた、どのフォーマットが現在の報告されたタイプ２＿ＮＴを計算するために使用されたかをｅＮＢ＿Ｔに通知しなければならない。
【００６８】
タイプ１について、オプション１は、構成されたＰＵＳＣＨ基準フォーマットの２つの基地局の間での交換を必要とする。しかし、オプション２についての主要な課題は、報告されたタイプ１＿ＮＴを計算するために使用される送信フォーマット情報をＵＥがどのようにしてｅＮＢ＿Ｔに通知するかである。
【００６９】
３．ｅＮＢ＿Ｔにおいて送信されるＭＡＣ  ＰＤＵにＰＨＲ＿ＴおよびＰＨＲ＿ＮＴを含める方法
前述のように、ＵＥがＤＣシナリオにおいてＰＨＲを報告するとき、２つの種類のＰＨＲ情報、すなわち、ＰＨＲ＿ＴおよびＰＨＲ＿ＮＴが、ｅＮＢ＿Ｔを介して送信される同じＭＡＣ  ＰＤＵに含まれることになる。その場合、重要な問題は、これらの２つの種類のＰＨＲ情報を同ＭＡＣ  ＰＤＵにおいて多重化する方法である。以下の２つのオプションが、提案される：
オプション１：ＰＨＲ＿ＴおよびＰＨＲ＿ＮＴが、ｅＮＢ＿Ｔで送信されるＭＡＣ  ＰＤＵにおいて別個に多重化される、
オプション２：ＰＨＲ＿ＴおよびＰＨＲ＿ＮＴが、同じＰＨＲ  ＭＡＣ  ＣＥに含まれる。
【００７０】
一般的に言えば、少なくとも２つのＰＨＲ  ＭＡＣ  ＣＥサブヘッダが、ＰＨＲ＿ＴおよびＰＨＲ＿ＮＴをｅＮＢ＿Ｔに送信するために使用されることになるので、オプション１は、より高い信号伝達オーバヘッドをもたらすことになる。
【００７１】
オプション１およびオプション２の実現が、以下のように別個に論じられる。
【００７２】
（１）オプション１を達成するための方式
オプション１では、２つのＰＨＲ  ＭＡＣ  ＣＥが、ｅＮＢ＿Ｔで送信される１つのＭＡＣ  ＰＤＵにおいて提示されることになる。ｅＮＢ＿Ｔが何ら混乱なしにＰＨＲ＿ＴとＰＨＲ＿ＮＴとを正確に区別することを保証するために、２つの方式が、採用され得る：
方式１：１つの新しいＬＣＩＤが、ＰＨＲ＿ＮＴを識別するように設計される、
方式２：ＰＨＲ  ＭＡＣ  ＣＥサブヘッダ内の「Ｆ」ビットが、関連ＰＨＲペイロード部分がＰＨＲ＿ＴまたはＰＨＲ＿ＮＴであることを指示するために、再定義される。
【００７３】
方式１については、Ｒ１１における拡張ＰＨＲ  ＭＡＣ  ＣＥのためのレガシＬＣＩＤ（１１００１）がＰＨＲ＿Ｔを識別するために使用され、そして、（０１０１１〜１１０００）の間の１つの新しいＬＣＩＤが、ＰＨＲ＿ＮＴ  ＭＡＣ  ＣＥを識別するために定義可能であり、逆もまた同様である。本方式の利益は、ＰＨＲ  ＭＡＣ  ＣＥフォーマットに対する影響がなく、Ｒ１１定義の拡張ＰＨＲ  ＭＡＣ  ＣＥが再使用され得ることである。その代価は、１つの予約されたＬＣＩＤが、ＰＨＲ＿ＮＴ  ＭＡＣ  ＣＥを識別するために使用なければならないことである。
【００７４】
方式２については、ＰＨＲ＿ＴおよびＰＨＲ＿ＮＴの分離は、ＰＨＲ  ＭＡＣ  ＣＥサブヘッダによって指示される。知られ得るように、拡張ＰＨＲ  ＭＡＣ  ＣＥについて、ペイロードの長さは可変であり、したがって、関連ＭＡＣ  ＣＥサブヘッダは、２つのバイトから成る：Ｒ／Ｒ／Ｅ／ＬＣＩＤ＋Ｆ／Ｌ。ここで、１ビットの「Ｆ」フィールドは、「Ｌ」フィールドが７ビットまたは１５ビットのいずれかであることを示し、「Ｌ」は対応するＰＨＲ  ＭＡＣ  ＣＥペイロード長を示す。Ｒ１２において、最大サポートキャリア数は、５未満であり、したがって、「Ｌ」フィールドは７ビットになり、１５ビット「Ｌ」フィールドを必要とするシナリオは存在しない。これは、ＰＨＲ  ＭＡＣ  ＣＥにおける「Ｆ」フィールドが、実際には、ｅＮＢにとって無用であることを意味する。したがって、この「Ｆ」ビットは、図２に示すように、関連ＰＨＲ  ＭＡＣ  ＣＥがＰＨＲ＿ＴかＰＨＲ＿ＮＴかを指示するために、再定義することができる。
【００７５】
たとえば、Ｆ＝１のとき、関連ＰＨＲ  ＭＡＣ  ＣＥはＰＨＲ＿Ｔであることが示され、Ｆ＝０のとき、関連ＰＨＲ  ＭＡＣ  ＣＥはＰＨＲ＿ＮＴであることが示され、逆もまた同様である。
【００７６】
要約すると、これらの２つの方式は、ｅＮＢ＿ＴがＰＨＲ＿ＴとＰＨＲ＿ＮＴとを容易に区別し得ることを保証するために、Ｒ１２  ＤＣシナリオにおいて実行可能である。
【００７７】
（２）オプション２を達成するための方式
オプション２について、ＵＥがｅＮＢ＿ＴにおいてＰＨＲを報告するとき、両方のｅＮＢのすべてのＰＨ情報が、ｅＮＢ＿Ｔで送信される１つのＰＨＲ  ＭＡＣ  ＣＥ内に置かれる。この方式では、ｅＮＢ＿Ｔは、どのＰＨ値がどの基地局およびどのアクティブ・セルについてかを識別することができなければならない。
【００７８】
ｅＮＢ＿Ｔは、それ自体の構成されたセルのアクティブ／非アクティブ状況をはっきりと理解しているので、ｅＮＢ＿Ｔが、ＰＨＲ＿Ｔがどのアクティブ・セルについてであるかを理解することは明らかである。しかし、ｅＮＢ＿ＮＴのどのセルがＰＨＲ＿ＮＴ部分に含まれたＰＨ情報を有するかをｅＮＢ＿Ｔが知ることは、不可能または非常に困難である。この状況を考慮し、ｅＮＢ＿Ｔが各ＰＨ情報を正確に識別することを可能にするために、以下の２つの方式が提案される：
方式１：ＰＨＲ＿ＮＴが、ＰＨＲ＿Ｔペイロードの直後の固定の位置に置かれる。また、１つの追加のバイトが、ｅＮＢ＿ＮＴのどのアクティブ・セルがＰＨＲ＿ＮＴに含まれたＰＨ情報を有するかを識別するために、追加される。
方式２：ｅＮＢ＿ＴおよびｅＮＢ＿ＮＴの両方のＰＨ情報が、昇順など、それらの対応するＳセル・インデックス順序に従って置かれ、そして、Ｘ２手続きが、ＭｅＮＢおよびＳｅＮＢ協調のために定義されて、ＭｅＮＢとＳｅＮＢとの間にＳセル・インデックス矛盾がないことを保証する。
【００７９】
これらの２つの方式は、以下に別個に論じるように、異なるＰＨＲ  ＭＡＣ  ＣＥペイロード・フォーマットをもたらすことになる。
【００８０】
−  方式１を実現するための解決法
方式１について、Ｒ１１定義の拡張ＰＨＲ  ＭＡＣ  ＣＥペイロードは、拡張されるべきである。一般的な新しいＰＨＲペイロード・フォーマットが、方式１による図３に示される。
【００８１】
方式１によれば、図３に示すように、以下の新しいルールが提案される：
２バイトが、ｅＮＢ＿ＴおよびｅＮＢ＿ＮＴのアクティブ・セルをそれぞれ識別するために使用される、ＰＨＲ  ＭＡＣ  ＣＥペイロードの開始位置に置かれ、次いで、詳細なＰＨＲ＿ＴおよびＰＨＲ＿ＮＴ情報が続く。
【００８２】
ｅＮＢ＿Ｔ／ｅＮＢ＿ＮＴがＭｅＮＢかＳｅＮＢかにかかわらず、タイプ２＿Ｔおよび／またはタイプ２＿ＮＴがＰＨＲ＿ＴおよびＰＨＲ＿ＮＴにそれぞれ含まれ得るシナリオが存在する。ｅＮＢ＿Ｔの観点からすると、それは、それがＰＨＲ＿Ｔの終了位置およびＰＨＲ＿ＮＴの開始位置を明確に位置付けることができるように、タイプ２＿Ｔが提示されるかどうかを先ず知らなければならない。また、ｅＮＢ＿Ｔは、ｅＮＢ＿ＴがＰＨＲ＿ＮＴ部分を正確に切り離すことができるように、タイプ２＿ＮＴが提示されるかどうかを知らなければならない。これは、図３に示すように、この目的のために新しいＭＡＣ  ＣＥの最初の２つのビットマップ・バイトにおいて２つの「Ｒ」ビットを再定義することによって、行うことができる。
【００８３】
たとえば、第１のビットマップ・バイトの「Ｒ」は、タイプ２＿ＴがＰＨＲ＿Ｔ部分に含まれるか否かを指示する。第２のビットマップ・バイトの「Ｒ」は、タイプ２＿ＮＴがＰＨＲ＿ＮＴ部分において提示されるか否かを指示する。この提案に基づいて、ｅＮＢ＿Ｔは、ＰＨＲ＿Ｔの終了位置を正確に位置付けることができ、次いで、ｅＮＢ＿Ｔは、第２のビットマップ・バイト情報に基づいて、ＰＨＲ＿ＮＴ部分を正確に切り離すことができる。
【００８４】
したがって、要約すると、方式１は、以下のようにＲ１１定義のＰＨＲ  ＭＡＣ  ＣＥペイロード・フォーマットを拡張することを提案する：
−  ２つのビットマップ・バイトが、ＰＨＲ  ＭＡＣ  ＣＥペイロードの開始位置に置かれ、ｅＮＢ＿ＴおよびｅＮＢ＿ＮＴのどのアクティブ・セルがＰＨ情報を報告しているかを識別するために使用され、そこにおいて、第１のビットマップ・バイトは、ｅＮＢ＿Ｔのアクティブ・セルを識別するために使用され、第２のビットマップ・バイトは、ｅＮＢ＿ＮＴのアクティブ・セルを識別するために使用される。
−  最初の２つのバイトの「Ｒ」ビットは、タイプ２＿Ｔ／タイプ２＿ＮＴがＰＨＲ＿Ｔ／ＰＨＲ＿ＮＴ部分においてそれぞれ提示されるかどうかを識別するために使用される。
−  ＰＨＲ＿ＴおよびＰＨＲ＿ＮＴが、固定のシーケンスで置かれ、ＰＨＲ＿ＮＴはＰＨＲ＿Ｔのすぐ後に続く。
【００８５】
図３に示す実施形態の変更形態において、ＭｅＮＢに対応するビットマップ・タイプ（すなわち、ｅＮＢ＿ＴがＭｅＮＢであるときのＰＨＲ  ＭＡＣ  ＣＥペイロードにおける第１のビットマップ・タイプ、ｅＮＢ＿ＮＴがＭｅＮＢであるときのＰＨＲ  ＭＡＣ  ＣＥペイロードにおける第２のビットマップ・タイプ）の「Ｒ」ビットのみが、ＭｅＮＢのＰセルのＰＵＣＣＨ  ＰＨ値がＭｅＮＢのアクティブ・セルのＰＨ情報に含まれるか否かを指示するために使用され得ることが理解されよう。それに応じて、ｅＮＢ＿Ｔ側では、ＳｅＮＢのＳＰセルのＰＵＣＣＨ  ＰＨ値がＳｅＮＢのアクティブ・セルのＰＨ情報に含まれるか否かが、ＭｅＮＢに対応するビットマップ・タイプの「Ｒ」ビットに基づいて判定され得る。具体的には、たとえば、ＭｅＮＢに対応するビットマップ・バイトの「Ｒ」＝１は、ＭｅＮＢのＰセルのＰＵＣＣＨ  ＰＨ値がＰＨＲ  ＭＡＣ  ＣＥのペイロードに含まれることを指示するために使用され、そして、「Ｒ」＝０は、ＭｅＮＢのＰセルのＰＵＣＣＨ  ＰＨ値がＰＨＲ  ＭＡＣ  ＣＥのペイロードに含まれないことを指示するために使用される。その場合、ＳｅＮＢのＳＰセルのＰＵＣＣＨ  ＰＨ値がＳｅＮＢのアクティブ・セルのＰＨ情報に含まれるか否かは、以下の方法で判定され得る：
「Ｒ」＝１のとき、
［ＮＬ−２−２−アクティブ・ビットの数］＝１である場合、そのとき、ＳｅＮＢのＳＰセルのＰＵＣＣＨ  ＰＨ値は、ＳｅＮＢのアクティブ・セルのＰＨ情報に含まれ、
［ＮＬ−２−２−アクティブ・ビットの数］＝０である場合、そのとき、ＳｅＮＢのＳＰセルのＰＵＣＣＨ  ＰＨ値は、ＳｅＮＢのアクティブ・セルのＰＨ情報に含まれず、
そこにおいて、ＮＬは、ＰＨＲ  ＭＡＣ  ＣＥのサブヘッダ内の「Ｌ」フィールドによって指示されるバイト数を表し、その方程式中の第１の「２」は、ＭｅＮＢのＰセルのＰＵＣＣＨ  ＰＨバイトおよびＰＵＳＣＨ  ＰＨバイトを表し、その方程式中の第２の「２」は、ビットマップ・バイトの数を表し、そして、「アクティブ・ビットの数」は、ＭｅＮＢおよびＳｅＮＢのすべてのアクティブＳセルの数を表し、
「Ｒ」＝０のとき、
［ＮＬ−１−２−アクティブ・ビットの数］＝１である場合、そのとき、ＳｅＮＢのＳＰセルのＰＵＣＣＨ  ＰＨ値は、ＳｅＮＢのアクティブ・セルのＰＨ情報に含まれ、
［ＮＬ−１−２−アクティブ・ビットの数］＝０である場合、そのとき、ＳｅＮＢのＳＰセルのＰＵＣＣＨ  ＰＨ値は、ＳｅＮＢのアクティブ・セルのＰＨ情報に含まれず、
そこにおいて、ＮＬは、ＰＨＲ  ＭＡＣ  ＣＥのサブヘッダ内の「Ｌ」フィールドによって指示されるバイト数を表し、その方程式中の第１の「１」は、ＭｅＮＢのＰセルのＰＵＳＣＨ  ＰＨバイトを表し、その方程式中の第２の「２」は、ビットマップ・バイトの数を表し、そして、「アクティブ・ビットの数」は、ＭｅＮＢおよびＳｅＮＢのすべてのアクティブＳセルの数を表す。
【００８６】
−  方式２を実現するための解決法
方式２は、ＭｅＮＢおよびＳｅＮＢに属するすべてのセルを対象とする、ＤＣ  ＵＥの構成されたセルの総数が８以下であるというような仮定に基づく。この仮定は、以前の会合で既に合意されている。したがって、理論的に言えば、１つのバイトは、ＭｅＮＢおよびＳｅＮＢの両方のすべての構成されたセルを対象とするのに十分である。したがって、Ｒ１１定義の拡張ＰＨＲ  ＭＡＣ  ＣＥペイロードは、再使用することができる。唯一の問題は、ｅＮＢ＿ＴとｅＮＢ＿ＮＴとの間のセル・インデックス矛盾を回避することである。これは、各基地局が、構成されたＳセル・インデックス情報を互いに通知しなければならないような新しいＸ２手続きを定義することによって、行うことができる。その目標は、１つの基地局が別の基地局によって既に使用されたセル・インデックスを使用しないことを保証することである。その場合、レガシＲ１１定義の拡張ＰＨＲ  ＭＡＣ  ＣＥペイロードにおいて、図１に示すような第１のビットマップ・バイトは、アクティブ・セルがｅＮＢ＿Ｔに属するかｅＮＢ＿ＮＴに属するかにかかわらず、このＭＡＣ  ＣＥに含まれるＰＨ値を有するすべてのアクティブ・セルを識別することができる。ｅＮＢ＿Ｔは、それ自体の構成されたセルのアクティブ／非アクティブ状況をはっきりと理解しているので、ｅＮＢ＿Ｔは、ビットマップ・バイトに基づいて、ＰＨＲ＿ＴとＰＨＲ＿ＮＴとを明確に識別および区別することができる。
【００８７】
ＰＨＲ  ＭＡＣ  ＣＥペイロード部分において、ｅＮＢ＿ＴがＭｅＮＢかＳｅＮＢかにかかわらず、ＭｅＮＢのＰセルは常にアクティブであり、Ｐセル・インデックスは０００であるので、ｅＮＢ＿Ｔは、ＭｅＮＢのＰセルのＰＨ値が常に含まれることになることを理解する。したがって、ＭｅＮＢ  ＰセルＰＨは、図４に示すように第１の位置に常に置かれ得ることが、提案される。したがって、ｅＮＢ＿Ｔがどの基地局であるかにかかわらず、ｅＮＢ＿Ｔは、第１のＰＨ値は、ＭｅＮＢ  Ｐセルについてでなければならず、続くＰＨバイトは、関連Ｓセルのインデックス情報に従ってビットマップ・バイトによって識別される、ｅＮＢ＿ＴまたはｅＮＢ＿ＮＴのいずれかのＳセルについてであることを理解する。
【００８８】
唯一の問題は、ｅＮＢ＿Ｔは、受信されたＰＨＲ  ＭＡＣ  ＣＥを正確に切り離すために、Ｐセルのタイプ２および／またはＳＰセルのタイプ２がＭＡＣ  ＣＥペイロードにおいて提示されるか否かを理解しなければならないということである。これは、これを目的としてビットマップ・バイトの「Ｒ」を再定義することによって、解決することができる。たとえば、この「Ｒ」は、タイプ２がＭｅＮＢのＰセルＰＨＲについて含まれるかどうかを指示するために定義される。その場合、ｅＮＢ＿Ｔは、ＰＨＲ  ＭＡＣ  ＣＥサブヘッダにファイルされた「Ｌ」およびＭＡＣ  ＣＥペイロード部分において第１のビットマップ・バイトによって指示されるアクティブ・セルの数によって、ＳＰセルのタイプ２が提示されるか否かを推定することができる。たとえば、以下のルールが、これを目的として提案可能であり、ここで、Ｐｃｍａｘは提示されないと仮定する：
−  ＭｅＮＢ  Ｐセルのタイプ２が提示されることを示す、「Ｒ」＝１の場合、
そのとき、ＮＬ−２（Ｐセルのタイプ２およびタイプ１）−ｌ（ビットマップ・バイトの数）−アクティブ・ビットの数（ｅＮＢ＿ＴおよびｅＮＢ＿ＮＴのすべてのアクティブＳセルのタイプ１）＝１である場合、そのとき、ＳＰセルのタイプ２が提示され、
ＮＬ−２（Ｐセルのタイプ２およびタイプ１）−１（ビットマップ・バイトの数）−アクティブ・ビットの数（ｅＮＢ＿ＴおよびｅＮＢ＿ＮＴのすべてのアクティブＳセルのタイプ１）＝０である場合、そのとき、ＳＰセルのタイプ２は提示されない。
−  ＭｅＮＢ  Ｐセルのタイプ２が提示されないことを示す、「Ｒ」＝０の場合、
そのとき、ＮＬ−１（Ｐセルのタイプ１）−１（ビットマップ・バイトの数）−アクティブ・ビットの数（ｅＮＢ＿ＴおよびｅＮＢ＿ＮＴのすべてのアクティブＳセルのタイプ１）＝１である場合、そのとき、ＳＰセルのタイプ２は、提示され、
ＮＬ−ｌ（Ｐセルのタイプｌ）−１（ビットマップ・バイトの数）−アクティブ・ビットの数（ｅＮＢ＿ＴおよびｅＮＢ＿ＮＴのすべてのアクティブＳセルのタイプ１）＝０である場合、そのとき、ＳＰセルのタイプ２は提示されない。
【００８９】
Ｐｃｍａｘが提示される場合、そのとき、前述の２つの原理は、Ｐｃｍａｘバイトの数が減算される限り、ＳＰセル・タイプ２についてまだ機能する。
【００９０】
したがって、方式２はまた、ビットマップ・バイトの「Ｒ」ビットを再定義し、新しいＸ２協調手続きを定義してＭｅＮＢとＳｅＮＢとの間にＳセル・インデックス矛盾がないことを保証することを代価として実行可能である。
【００９１】
前述のオプション１およびオプション２によれば、ｅＮＢ＿Ｔは、各ＰＨがどの基地局およびどの活動セルについてであるかを正確に識別することができる。
【００９２】
前述の実施形態は、単に例示であり、本発明を制限しないことに留意されたい。異なる実施形態における異なる技術的特徴、装置および方法を使用して顕著な効果を達成するように組み合わせることを含めて、本発明の趣旨および本質を逸脱しない如何なる技術的解決法も本発明の保護範囲内にあるものとする。さらに、本特許請求のいずれの参照番号も、本特許請求を限定するものと見なされないものとし、「含む」という用語は、他の特許請求または明細書において提示されない要素またはステップを排除しない。本発明の技術的解決法は、ソフトウェア、ハードウェア、またはそれらの組合せによって達成され得る。
【図１】
2017515341.tif 000003
【図２】
2017515341.tif 000004
【図３】
2017515341.tif 000005
【図４】
2017515341.tif 000006
【国際調査報告】
2017515341.tif 000007
2017515341.tif 000008
2017515341.tif 000009
2017515341.tif 000010
2017515341.tif 000011
2017515341.tif 000012